(57)【要約】  無線通信システムにおいてデータサブバンドを構成する方法及び装置が提供される。端末（ＵＥ：user equipment）は、ネットワークからデータサブバンドの指示を受信し、前記指示に従って少なくとも１つのデータサブバンドを構成し、前記少なくとも１つのデータサブバンドを介して前記ネットワークとの通信を行う。１つのデータサブバンドは、連続する又は連続しない物理リソースブロック（ＰＲＢ：physical resource block）から構成される。【選択図】図２４
2019536343.tif 000002
【特許請求の範囲】
【請求項１】
無線通信システムにおいて端末（ＵＥ：user equipment）によるデータサブバンドを構成する方法であって、
ネットワークからデータサブバンドの指示を受信し、
前記指示に従って少なくとも１つのデータサブバンドを構成し、
前記少なくとも１つのデータサブバンドを介して前記ネットワークと通信を行うことを含み、
１つのデータサブバンドは、連続する又は連続しない物理リソースブロック（ＰＲＢ：physical resource block）から構成される、ことを特徴とする方法。
【請求項２】
データ送信のためのヌメロロジー（numerology）、スロット長、ミニスロット長、無線アクセス技術（ＲＡＴ：radio access technology）又は最大送信ブロックサイズ（ＴＢＳ：transport block size）のうち少なくとも１つがデータサブバンド別に定義されることを特徴とする、請求項１に記載の方法。
【請求項３】
前記少なくとも１つのデータサブバンドは、ＵＥ特定搬送波内に構成されることを特徴とする、請求項１に記載の方法。
【請求項４】
前記ＵＥ特定搬送波は、ＲＦ（radio frequency）別に構成されることを特徴とする、請求項３に記載の方法。
【請求項５】
前記少なくとも１つのデータサブバンドは、複数のＵＥ特定搬送波にわたって構成されることを特徴とする、請求項１に記載の方法。
【請求項６】
前記データサブバンドは、共通データのための共通データサブバンドを含むことを特徴とする、請求項１に記載の方法。
【請求項７】
前記共通データのために最大１つの共通データサブバンドが構成されることを特徴とする、請求項６に記載の方法。
【請求項８】
前記少なくとも１つのデータサブバンドは、制御サブバンドによりスケジュールされることを特徴とする、請求項１に記載の方法。
【請求項９】
制御送信のためのヌメロロジー、モニタリング区間、又は、前記制御サブバンド内でのＲＥＧ（resource element group）若しくはＣＣＥ（control channel element）インデックスの少なくとも１つが制御サブバンド別に定義されることを特徴とする、請求項８に記載の方法。
【請求項１０】
前記制御サブバンドは、アンカーサブバンド内に構成されることを特徴とする、請求項８に記載の方法。
【請求項１１】
ＵＥサポート帯域幅内のＰＲＢの数が前記少なくとも１つのデータサブバンドのリソース割り当てのために用いられることを特徴とする、請求項１に記載の方法。
【請求項１２】
前記データサブバンドに構成されたＰＲＢの最大個数が前記少なくとも１つのデータサブバンドのリソース割り当てのために用いられることを特徴とする、請求項１に記載の方法。
【請求項１３】
前記ネットワークが１つの広帯域搬送波を構成するとき、１つ又は複数のサブバンド上でＲＲＭ（radio resource management）測定を行うことをさらに含む、請求項１に記載の方法。
【請求項１４】
各サブバンドは、ＳＳ（synchronization signal）ブロックを搬送することを特徴とする、請求項１３に記載の方法。
【請求項１５】
アンカーサブバンドのみがＳＳブロックを搬送することを特徴とする、請求項１３に記載の方法。
【請求項１６】
前記ネットワークが複数の狭帯域搬送波を構成するとき、１つ又は複数の搬送波上でＲＲＭ測定を行うことをさらに含む、請求項１に記載の方法。
【請求項１７】
無線通信システムにおける端末（ＵＥ：user equipment）であって、
メモリと、
送受信部と、
前記メモリ及び前記送受信部に接続されるプロセッサと、を含み、
前記プロセッサは、
ネットワークからデータサブバンドの指示を受信するように前記送受信部を制御し、
前記指示に従って少なくとも１つのデータサブバンドを構成し、
前記少なくとも１つのデータサブバンドを介して前記ネットワークと通信を行うように前記送受信部を制御し、
１つのデータサブバンドは、連続する又は連続しない物理リソースブロック（ＰＲＢ：physical resource block）から構成される、ことを特徴とするＵＥ。
【発明の詳細な説明】
【技術分野】
【０００１】
本発明は、無線通信に関し、より詳細には、無線通信システムにおいてＮＲ（new radio access technology）搬送波においてサブバンドアグリゲーションを構成する方法及び装置に関する。
【背景技術】
【０００２】
３ＧＰＰ ＬＴＥは、高速パケット通信を可能とするための技術である。ＬＴＥの目標であるユーザと事業者の費用節減、サービス品質向上、カバレッジ拡張及びシステム容量増大のために多くの方式が提案された。３ＧＰＰ ＬＴＥは、上位レベル必要条件として、ビット当たり費用節減、サービス有用性向上、周波数バンドの柔軟な使用、簡単な構造、開放型インターフェース及び端末の適切な電力消費を要求する。
【０００３】
より多くの通信機器がより大きな通信容量を要求することにより、既存の無線アクセス技術に比べて改善されたモバイルブロードバンド通信が必要である。また、複数の機器及び物を接続していつでもどこでも多様なサービスを提供する巨大ＭＴＣ（machine type communication）も次世代通信において考慮される主要イシューの１つである。さらに、信頼性及び遅延に敏感なサービス／端末（ＵＥ：user equipment）を考慮した通信システム設計が論議されている。このように向上したモバイルブロードバンド通信（ｅＭＢＢ：enhanced mobile broadband communication）、巨大ＭＴＣ、ＵＲＬＬＣ（ultra-reliable and low latency communication）などを考慮した次世代無線アクセス技術の導入が論議されており、便宜上、このような新しい技術は新しい無線アクセス技術（new radio access technology（ＲＡＴ）又はＮＲ）と呼ばれることができる。
【０００４】
ＮＲにおいて、アナログビームフォーミングが導入されることができる。ミリメートル波（ｍｍＷ）帯域では波長が短くなって同一面積に複数のアンテナが設置されることができる。例えば、３０ＧＨｚ帯域で波長は１ｃｍであり、５ｃｍ×５ｃｍのパネルに０．５λ（波長）間隔で２次元配列形態で計１００個のアンテナ要素が設置されることができる。従って、ｍｍＷ帯域では、複数のアンテナ要素を用いてビームフォーミング（beamforming）利得を向上させてカバレッジを増加させるか、処理量（throughput）を向上させることができる。
【０００５】
この場合、アンテナ要素別に送信パワー及び位相の調節ができるように送受信部を有すると、周波数リソース別に独立的なビームフォーミングが可能である。しかしながら、１００個余りのアンテナ要素の全てに送受信部を設置すると、コストの側面で実効性が低下する問題がある。従って、１つの送受信部に複数のアンテナ要素をマッピングし、アナログ位相シフタ（analog phase shifter）でビームの方向を調節する方式が考慮されている。このようなアナログビームフォーミング方式は、全帯域にわたって１つのビーム方向のみを作ることができるため、周波数選択的ビームフォーミングができないという欠点がある。
【０００６】
デジタルビームフォーミングとアナログビームフォーミングの中間形態として、Ｑ個のアンテナ要素より少ない数であるＢ個の送受信部を有するハイブリッドビームフォーミングを考慮することができる。この場合、Ｂ個の送受信部とＱ個のアンテナ要素の接続方式によって異なるが、同時に送信できるビームの方向はＢ個以下に制限される。
【０００７】
ＮＲを効率的に運用するために、多様な方式が論議されてきた。
【発明の概要】
【発明が解決しようとする課題】
【０００８】
本発明は、無線通信システムにおいてＮＲ（new radio access technology）搬送波でサブバンドアグリゲーションを構成する方法及び装置を提供する。本発明は、異なるＵＥ（user equipment）が異なるＵＥシステム帯域幅をサポートすることができ、また、構成された帯域幅がＵＥ電力低減及び効率的なリソース管理のために変更できる広帯域搬送波を取り扱うことを提案する。
【課題を解決するための手段】
【０００９】
一態様において、無線通信システムにおいて端末（ＵＥ：user equipment）によるデータサブバンドを構成する方法が提供される。前記方法は、ネットワークからデータサブバンドの指示を受信し、前記指示に従って少なくとも１つのデータサブバンドを構成し、前記少なくとも１つのデータサブバンドを介して前記ネットワークと通信を行うことを含む。１つのデータサブバンドは、連続する又は連続しない物理リソースブロック（ＰＲＢ：physical resource block）から構成される。
【００１０】
他の態様において、無線通信システムにおける端末（ＵＥ：user equipment）が提供される。前記ＵＥは、メモリと、送受信部と、前記メモリ及び前記送受信部に接続されるプロセッサと、を含む。前記プロセッサは、ネットワークからデータサブバンドの指示を受信するように前記送受信部を制御し、前記指示に従って少なくとも１つのデータサブバンドを構成し、前記少なくとも１つのデータサブバンドを介して前記ネットワークと通信を行うように前記送受信部を制御する。１つのデータサブバンドは、連続する又は連続しない物理リソースブロック（ＰＲＢ：physical resource block）から構成される。
【発明の効果】
【００１１】
ＵＥとネットワーク間の効率的な通信及びリソース管理が、ＮＲ搬送波においてサブバンドを用いることにより可能になる。
【図面の簡単な説明】
【００１２】
【図１】図１は、３ＧＰＰ（3rd generation partnership project） ＬＴＥ（long-term evolution）システムを示す。
【図２】図２は、３ＧＰＰ ＬＴＥの無線フレームの構造を示す。
【図３】図３は、１つのダウンリンクスロットに対するリソースグリッド（resource grid）を示す。
【図４】図４は、ＮＲに対するサブフレームタイプの例を示す。
【図５】図５は、ＮＲ搬送波でネットワークとＵＥ間の異なるシステム帯域幅の例を示す。
【図６】図６は、搬送波結合（carrier bonding）の例を示す。
【図７】図７は、本発明の一実施形態によるＲＢインデクシングの一例を示す。
【図８】図８は、本発明の一実施形態によるＵＥ別の検索空間の構成例を示す。
【図９】図９は、本発明の一実施形態によってアンカーサブバンド及び他のサブバンドを個別にＵＥ特定帯域幅に対して処理する例を示す。
【図１０】図１０は、本発明の一実施形態による異なるＵＥ特定帯域幅オプションの例を示す。
【図１１】図１１は、本発明の一実施形態によるＵＥ特定サポート帯域幅の一例を示す。
【図１２】図１２は、本発明の一実施形態による個別的なＲＢインデクシングの例を示す。
【図１３】図１３は、本発明の一実施形態によるデータサブバンドアグリゲーションによる動的帯域幅適応の例を示す。
【図１４】図１４は、本発明の一実施形態によって複数のＲＦを有するデータサブバンドアグリゲーションによる帯域幅適応の例を示す。
【図１５】図１５は、本発明の一実施形態によって入れ子方式のリソース割り当ての例を示す。
【図１６】図１６は、本発明の一実施形態による狭帯域ＵＥ ＲＦを有する広帯域スペクトルに対する異なる取り扱いオプションの例を示す。
【図１７】図１７は、小さい帯域幅の送信の場合の干渉の例を示す。
【図１８】図１８は、複数のＲＦの場合の干渉の例を示す。
【図１９】図１９は、本発明の一実施形態によるオーバーレイ構造の一例を示す。
【図２０】図２０は、本発明の一実施形態による広帯域においてＲＲＭを処理するためのオプション１の例を示す。
【図２１】図２１は、本発明の一実施形態による広帯域においてＲＲＭを取り扱うためのオプション２の例を示す。
【図２２】図２２は、本発明の一実施形態による広帯域においてＲＲＭを取り扱うためのオプション３の例を示す。
【図２３】図２３は、本発明の一実施形態による異なるＲＲＭ帯域幅オプションの例を示す。
【図２４】図２４は、本発明の一実施形態によってＵＥによりデータサブバンドを構成する方法を示す。
【図２５】図２５は、本発明の一実施例を実施するための無線通信システムを示す。
【発明を実施するための形態】
【００１３】
図１は、３ＧＰＰ（3rd generation partnership project） ＬＴＥ（long-term evolution）システムを示す。３ＧＰＰ ＬＴＥシステム１０は、少なくとも１つのｅＮＢ（evolved NodeB）１１を含む。各ｅＮＢ１１は、特定の地理的領域（一般に、セルという）１５ａ、１５ｂ、１５ｃに対して通信サービスを提供する。各セルは、複数の領域（セクターという）にさらに分けられる。端末（ＵＥ：user equipment）１２は、固定されるか、移動性を有し、ＭＳ（mobile station）、ＭＴ（mobile terminal）、ＵＴ（user terminal）、ＳＳ（subscriber station）、無線機器（wireless device）、ＰＤＡ（personal digital assistant）、無線モデム（wireless modem）、携帯機器（handheld device）などの他の用語で呼ばれることができる。ｅＮＢ１１は、一般的にＵＥ１２と通信する固定地点をいい、ＢＳ（base station）、ＢＴＳ（base transceiver system）、アクセスポイント（access point）などの他の用語で呼ばれることができる。
【００１４】
ＵＥは、通常１つのセルに属するが、ＵＥが属したセルをサービングセル（serving cell）という。サービングセルに対して通信サービスを提供するｅＮＢをサービングｅＮＢという。無線通信システムは、セルラーシステムであるから、サービングセルに隣接する他のセルが存在する。サービングセルに隣接する他のセルを隣接セル（neighbor cell）という。隣接セルに対して通信サービスを提供するｅＮＢを隣接ｅＮＢという。サービングセル及び隣接セルは、ＵＥを基準として相対的に決定される。
【００１５】
この技術は、ＤＬまたはＵＬに使用されることができる。一般に、ＤＬは、ｅＮＢ１１からＵＥ１２への通信を意味し、ＵＬは、ＵＥ１２からｅＮＢ１１への通信を意味する。ＤＬにおいて送信機は、ｅＮＢ１１の一部であり、受信機は、ＵＥ１２の一部でありうる。ＵＬにおいて送信機は、ＵＥ１２の一部であり、受信機は、ｅＮＢ１１の一部でありうる。
【００１６】
無線通信システムは、ＭＩＭＯ（multiple-input multiple-output）システム、ＭＩＳＯ（multiple-input single-output）システム、ＳＩＳＯ（single-input single-output）システム、及びＳＩＭＯ（single-input multiple-output）システムのうち、いずれか１つでありうる。ＭＩＭＯシステムは、複数の送信アンテナと複数の受信アンテナを使用する。ＭＩＳＯシステムは、複数の送信アンテナと１つの受信アンテナを使用する。ＳＩＳＯシステムは、１つの送信アンテナと１つの受信アンテナを使用する。ＳＩＭＯシステムは、１つの送信アンテナと複数の受信アンテナを使用する。以下において、送信アンテナは、１つの信号またはストリームを送信するのに使用される物理的または論理的アンテナを意味し、受信アンテナは、１つの信号またはストリームを受信するのに使用される物理的または論理的アンテナを意味する。
【００１７】
図２は、３ＧＰＰ ＬＴＥの無線フレームの構造を示す。図２を参照すると、無線フレームは、１０個のサブフレームを含む。サブフレームは、時間領域で２個のスロットを含む。上位層により１つのトランスポートブロックを物理層に送信する時間は、（一般的に１つのサブフレームにわたって）ＴＴＩ（transmission time interval）と定義される。例えば、１つのサブフレームは、１ｍｓの長さを有することができ、１つのスロットは、０．５ｍｓの長さを有することができる。１つのスロットは、時間領域で複数のＯＦＤＭ（orthogonal frequency division multiplexing）シンボルを含む。３ＧＰＰ ＬＴＥは、ＤＬでＯＦＤＭＡを使用するため、ＯＦＤＭシンボルは、１つのシンボル周期を表現するためのものである。ＯＦＤＭシンボルは、多重アクセス方式によって他の名称でも呼ばれる。例えば、ＳＣ−ＦＤＭＡがＵＬ多重アクセス方式として使われる場合、ＯＦＤＭシンボルは、ＳＣ−ＦＤＭＡシンボルとも呼ばれる。リソースブロック（ＲＢ：resource block）は、リソース割当単位であり、１つのスロットに複数の連続した（contiguous）副搬送波を含む。例示的な目的のみのために無線フレームの構造が図示される。したがって、無線フレームに含まれるサブフレームの数またはサブフレームに含まれるスロットの数またはスロットに含まれるＯＦＤＭシンボルの数は、多様に変更されることができる。
【００１８】
無線通信システムは，ＦＤＤ（frequency division duplex）方式とＴＤＤ（time division duplex）方式に区分されることができる。ＦＤＤ方式によると、アップリンク送信とダウンリンク送信は、互いに異なる周波数帯域で行われる。ＴＤＤ方式によると、ＵＬ送信とＤＬ送信は、同じ周波数帯域で互いに異なる時間間隔で行われる。ＴＤＤ方式のチャネル応答は、実質的に相互的（reciprocal）である。これは与えられた周波数帯域でＤＬチャネル応答及びＵＬチャネル応答がほとんど同じであることを意味する。したがって、ＴＤＤベースの無線通信システムは、ＵＬチャネル応答からＤＬチャネル応答を得ることができるという長所がある。ＴＤＤ方式は、全体周波数帯域がＵＬ及びＤＬ送信のために時分割されるため、ｅＮＢによるＤＬ送信とＵＥによるＵＬ送信を同時に実行することができない。ＵＬ送信とＤＬ送信がサブフレーム単位で区別されるＴＤＤシステムで、ＵＬ送信とＤＬ送信は、異なるサブフレームで実行される。ＴＤＤシステムにおいて、ＤＬとＵＬとの間の高速スイッチングを可能にするために、ＴＤＭ（time division multiplexing）／ＦＤＭ（frequency division multiplexing）方式で同じサブフレーム／スロット内でＵＬ及びＤＬ送信が実行されることができる。
【００１９】
図３は、１つのダウンリンクスロットに対するリソースグリッド（resource grid）を示す。図３を参照すると、ＤＬスロットは、時間領域で多数のＯＦＤＭシンボルを含む。ここで、例示として、１つのＤＬスロットは、７個のＯＦＤＭシンボルを含み、１つのＲＢは、周波数領域で１２個の副搬送波を含むと述べられる。しかし、本発明は、これに限定されるものではない。リソースグリッドの各要素は、リソース要素（ＲＥ：resource element）という。１つのＲＢは、１２×７または１２×１４リソース要素を含む。ＤＬスロットに含まれるＲＢの数ＮＤＬは、ＤＬ送信帯域幅によって決まる。ＵＬスロットの構造は、ＤＬスロットの構造と同じである。ＯＦＤＭシンボルの数と副搬送波の数は、ＣＰの長さ、周波数間隔などによって変わることができる。例えば、一般ＣＰ（normal cyclic prefix）の場合、ＯＦＤＭシンボルの個数は７個または１４個であり、拡張ＣＰの場合、ＯＦＤＭシンボルの個数は６個または１２個である。１つのＯＦＤＭシンボルで、１２８、２５６、５１２、１０２４、１５３６、２０４８、４０９６及び８１９２のうち１つを副搬送波の個数として選択的に使用することができる。
【００２０】
第５世代移動通信網又は第５世代移動通信システム（５Ｇ）は、現在の４Ｇ ＬＴＥ／ＩＭＴ（international mobile telecommunications）標準以後に提案された次世代通信標準である。５Ｇは、新しい無線アクセス技術（new radio access technology（ＲＡＴ）又はＮＲ）とＬＴＥの進化（evolution）を全て含む。以下、５ＧのうちＮＲに焦点を合わせて説明する。５Ｇプランニングは、現在の４Ｇ ＬＴＥより高い容量を目標とし、モバイルブロードバンドユーザの密度を向上させ、機器対機器、高信頼（ultra-reliable）及び大規模マシン通信（massive machine communications）をサポートする。５Ｇ研究開発はまた、物のインターネットをより良く実現するために、４Ｇ装置より小さな遅延と低いバッテリ消費を目標とする。
【００２１】
ＮＲは、ＯＦＤＭ送信方式又はそれに類似の送信方式を用いることができる。ＮＲは、既存のＬＴＥ／ＬＴＥ−Ａヌメロロジーに従うか、既存のＬＴＥ／ＬＴＥ−Ａヌメロロジーとは異なるヌメロロジーに従うことができる。ＮＲは、より大きなシステム帯域幅（例えば、１００ＭＨｚ）を有する。または、１つのセルがＮＲにおいて様々なヌメロロジーをサポートすることもできる。すなわち、異なるヌメロロジーにおいて動作するＵＥがＮＲ内の１つのセル内に共存することができる。
【００２２】
ＮＲに対して他のフレーム構造が必要であると期待される。特に、ＵＬ及びＤＬがサブフレームごとに存在できるか、又は同一の搬送波内で非常に頻繁に変更できる異なるフレーム構造がＮＲに必要であり得る。異なるアプリケーションは、異なる遅延及びカバレッジ要求事項をサポートするために、ＤＬ又はＵＬ部分（portion）の異なる最小サイズを必要とすることがある。例えば、高いカバレッジの場合、大規模マシンタイプ通信（ｍＭＴＣ：massive machine-type communication）は、１つの送信が成功できるように比較的に長いＤＬ及びＵＬ部分を必要とすることがある。また、同期化及び追跡正確度の要求事項に関する異なる要求事項により、異なる副搬送波間隔及び／又は異なるＣＰの長さが考慮されることがある。このような観点で、同一の搬送波に共存する異なるフレーム構造を可能にし、同一のセル／ｅＮＢで動作できるメカニズムを考慮することが必要である。
【００２３】
ＮＲにおいて、ダウンリンク及びアップリンクが含まれるサブフレームを用いることが考慮される。この方式は、ペアード（paired）スペクトル及びアンペアード（unpaired）スペクトルに適用されることができる。ペアードスペクトルは、１つの搬送波が２つの搬送波から構成されることを意味する。例えば、ペアードスペクトルにおいて、１つの搬送波はＤＬ搬送波及びＵＬ搬送波を含むことができ、これは相互ペアリングされる。ペアードスペクトルにおいて、ＤＬ、ＵＬ、機器対機器通信及び／又は中継通信などの通信は、ペアードスペクトルを用いて行われる。アンペアードスペクトルは、現在の４Ｇ ＬＴＥのように１つの搬送波がただ１つの搬送波から構成されることを意味する。アンペアードスペクトルにおいて、ＤＬ、ＵＬ、機器対機器通信及び／又は中継通信などの通信は、アンペアードスペクトル内で行われることができる。
【００２４】
また、ＮＲにおいて、以下のサブフレームタイプは、前述したペアードスペクトル及びアンペアードスペクトルをサポートするとみなされることができる。
【００２５】
（１）ＤＬ制御及びＤＬデータを含むサブフレーム
【００２６】
（２）ＤＬ制御、ＤＬデータ、及びＵＬ制御を含むサブフレーム
【００２７】
（３）ＤＬ制御及びＵＬデータを含むサブフレーム
【００２８】
（４）ＤＬ制御、ＵＬデータ、及びＵＬ制御を含むサブフレーム
【００２９】
（５）アクセス信号又はランダムアクセス信号又は他の目的を含むサブフレーム
【００３０】
（６）ＤＬ／ＵＬ及び全てのＵＬ信号を全て含むサブフレーム
【００３１】
しかしながら、前述したサブフレームタイプは、単に例示的なものであり、他のサブフレームタイプも考慮されることができる。
【００３２】
図４は、ＮＲに対するサブフレームタイプの例を示す。図４に示すサブフレームは、データ送信の遅延を最小化するためにＮＲのＴＤＤシステムにおいて用いられる。図４を参照すると、サブフレームは、現在のサブフレームと類似するように、１つのＴＴＩで１４個のシンボルを含む。しかしながら、サブフレームは、最初のシンボルにＤＬ制御チャネルを含み、最後のシンボルにＵＬ制御チャネルを含む。ＤＬ制御チャネルのための領域は、ＤＣＩ（downlink control information）送信のためのＰＤＣＣＨ（physical downlink control channel）の送信領域を示し、ＵＬ制御チャネルのための領域は、ＵＣＩ（uplink control information）送信のためのＰＵＣＣＨ（physical uplink control channel）の送信領域を示す。ここで、ＤＣＩを介してｅＮＢによりＵＥに送信される制御情報は、ＵＥが知っているべきセル構成に関する情報、ＤＬスケジューリングなどのＤＬ特定情報及びＵＬ承認などのＵＬ特定情報を含むことができる。また、ＵＣＩを介してＵＥによりｅＮＢに送信される制御情報は、ＤＬデータに対するＨＡＲＱ（hybrid automatic repeat request） ＡＣＫ／ＮＡＣＫ（acknowledgement/non-Acknowledgement）報告、ＤＬチャネル状態に関するチャネル状態情報（ＣＳＩ：channel state information）及びスケジューリング要求（ＳＲ：scheduling request）を含む。残りのシンボルは、ＤＬデータ送信（例えば、ＰＤＳＣＨ(physical downlink shared channel)）又はＵＬデータ送信（例えば、ＰＵＳＣＨ(physical uplink shared channel)）のために用いられる。
【００３３】
このサブフレーム構造によれば、ＤＬ送信とＵＬ送信は、１つのサブフレームにおいて順次行われる。その結果、サブフレーム内でＤＬデータが送信されることができ、サブフレーム内でＵＬ ＡＣＫ／ＮＡＣＫが受信されることもできる。このような方式で、図４に示すサブフレームは、自己完結型サブフレーム（self-contained subframe）といえる。その結果、データ送信エラーが発生するときにデータの再送信にかかる時間が短くなるので、最終データ送信の遅延が最小になる。自己完結型サブフレーム構造において、送信モードから受信モードへ又は受信モードから送信モードへの移行過程（transition process）に時間ギャップ（time gap）が必要になり得る。このために、サブフレーム構造において、ＤＬからＵＬに転換するときの一部ＯＦＤＭシンボルをガード期間（ＧＰ：guard period）に設定することができる。
【００３４】
ＮＲにおいて、ネットワークがサポートする場合、広帯域が用いられることができる。また、ＮＲにおいて、ネットワークとＵＥは、異なる帯域幅をサポートすることができる。この場合、ネットワーク及びＵＥが送信及び受信をどのように行うかを明確にする必要がある。
【００３５】
図５は、ＮＲ搬送波でネットワークとＵＥ間の異なるシステム帯域幅の例を示す。ネットワークがサポートする搬送波帯域幅はシステム帯域幅であり得る。ＵＥサポート帯域幅は、システム帯域幅と同一であるか、又はシステム帯域幅と異なることがある（システム帯域幅より狭いか、より広い）。図５−（ａ）は、システム帯域幅がＵＥサポート帯域幅と同一である場合を示す。図５−（ｂ）は、システム帯域幅がＵＥサポート帯域幅と異なる場合、すなわち、システム帯域幅がＵＥサポート帯域幅より広い場合を示す。図５−（ｃ）は、システム帯域幅がＵＥサポート帯域幅と異なる場合、すなわち、システム帯域幅がＵＥサポート帯域幅より広い場合を示す。しかしながら、図５−（ｂ）とは異なって、ＵＥは、複数のＲＦ（radio frequency）要素（component）で広い帯域幅をサポートすることができる。ベースバンド要素が複数のＲＦ要素間で共有されるか、別個のベースバンド要素がＲＦ要素別に専用に（dedicated）されることができる。ＵＥ能力に依存することがあるが、本発明において、ベースバンド要素／能力が複数のＲＦ要素間で共有できると仮定される。
【００３６】
図６は、搬送波結合（carrier bonding）の例を示す。必要なシステム帯域幅に応じて、ネットワークは、複数のＮＲ搬送波を結合させることができる。複数のＮＲ搬送波が結合されて１つのＮＲ搬送波に形成されると、システム帯域幅が変更されることがある。中心周波数も変更されることがある。しかしながら、ＤＣ（direct current）中心は、ネットワーク動作によって変更されることもあり、変更されないこともある。ＤＣ中心が変更されると、ＤＣ搬送波が正しく処理されるようにＵＥに示されることができる。
【００３７】
このようなシナリオにおいて、ＵＥにＵＥ特定システム帯域幅を割り当てる方法は、以下のオプションの少なくとも１つに従うことができる。
【００３８】
（１）ＮＲ搬送波は、最小サブバンド（Ｍ−ＳＢ：minimum subband）のセットに分割される。Ｍ−ＳＢのサブセットは、ＵＥ特定シグナリングを介してＵＥに構成されることができる。
【００３９】
（２）ＵＥは、ＵＥ特定シグナリングを介してＵＥ特定システム帯域幅の開始及び終了周波数位置で構成されることができる。
【００４０】
（３）ＮＲ搬送波は、物理リソースブロック（ＰＲＢ：physical resource block）のセットに分割され、ＰＲＢのセットは、ＵＥ特定シグナリングを介してＵＥに構成されることができる。
【００４１】
（４）ＮＲ搬送波は、ＰＲＢグループのセットに分割され、ＰＲＢグループのセットは、ＵＥ特定シグナリングを介してＵＥに構成されることができる。ＰＲＢグループは、Ｍ個のＰＲＢから構成され、これらは隣接することができる。Ｍ個のＰＲＢは、そのサイズがＮＲ搬送波がサポートする最大の副搬送波間隔に基づいて１つのＰＲＢと同一になるように選択される。
【００４２】
ＰＲＢのセットがＵＥ特定帯域幅のために用いられるとき、これは、同期化で用いられる基準ヌメロロジー（又は、デフォルトヌメロロジー又は基本ヌメロロジー）に基づく。または、これは仕様（specification）で修正されることができる。あるいは、これはシステム情報ブロック（ＳＩＢ：system information block）及び／又はマスター情報ブロック（ＭＩＢ：master information block）を介して暗示的に又は明示的に指示されることができる。
【００４３】
搬送波結合が適用される場合、システム帯域幅は、ＳＩＢ及び／又はＭＩＢを介してアップデートされる。前述したように、中心周波数及び／又はＤＣ搬送波もＳＩＢ及び／又はＭＩＢを介してアップデートされる。
【００４４】
便宜上、本発明においては、基準ヌメロロジーに基づいて、ＮＲ搬送波がＭ個のＰＲＢから構成されると仮定する。
【００４５】
以下、本発明の実施形態によるＮＲ搬送波においてＵＥシステム帯域幅の多様な態様について説明する。
【００４６】
１．サブバンド定義
【００４７】
まず、本発明の一実施形態による最小サブバンド（Ｍ−ＳＢ：minimum subband）について説明する。ＵＥ（少なくともｅＭＢＢ（enhanced mobile broadband） ＵＥ又は比較的に高いデータレートを有するＵＥ）がサポートする最小帯域幅がＫ個のＰＲＢであり、ＵＥがＫ個のＰＲＢの倍数（multiple）をサポートできると仮定する場合、Ｍ−ＳＢは、Ｋ個のＰＲＢ又はＫ個のＰＲＢの倍数で形成されることができる。ＵＥは、Ｋ＊Ｍ ＰＲＢないしＫ＊（Ｍ＋１） ＰＲＢ間の帯域幅をサポートすることができ、ＵＥは、Ｋ＊Ｍ ＰＲＢ又は（Ｋ＋１）＊Ｍ ＰＲＢで構成されることができる。この場合、一部のＰＲＢは、ＵＥスケジューリングに用いられない。単一ＮＲ搬送波により異なるサイズのＫをサポートすることができる。例えば、Ｋ１、Ｋ２及びＫ３などの３つの異なるＵＥ帯域幅がサポートされる場合、システム帯域幅は、Ｎ１＊Ｋ１ ＰＲＢ、Ｎ２＊Ｋ２ ＰＲＢ及びＮ３＊Ｋ３ ＰＲＢに分かれることができる。すなわち、異なるサイズのサブバンドがシステム帯域幅内に形成される。
【００４８】
Ｍ−ＳＢがシステム帯域幅に定義されている場合、同期信号、ＰＢＣＨ（physical broadcast channel）などの送信がＭ−ＳＢのうち１つで行われることができる。１つのＭ−ＳＢをアンカーＭ−ＳＢと呼ぶことができる。アンカーＭ−ＳＢ内で同期信号、ＰＢＣＨなどを維持するために、同期信号、ＰＢＣＨなどの位置においてＲＢインデクシングが開始されることがある。
【００４９】
図７は、本発明の一実施形態によるＲＢインデクシングの一例を示す。図７を参照すると、ＲＢインデクシングは、常にアンカーＭ−ＳＢの中心又はアンカーＭ−ＳＢ内で送信されたＳＳ（synchronization signal）ブロックの中心から開始する。複数のＳＳブロックがＮＲ搬送波に存在すると、共通ＰＲＢインデクシングが開始できる開始インデックスが示されるか、Ｍ−ＳＢ又はＳＳブロックの中心と共通ＰＲＢインデクシングのための基準ポイント間のオフセットが示されることができる。同期信号がシステム帯域幅のエッジ（edge）に存在することがあるので、インデクシングは十分に大きくあるべきである（例えば、２＊ｍａｘＲＢ以上）。
【００５０】
ＬＴＥとは異なり、ＮＲにおけるリソースインデックスは、インデックス生成を単純化するために、システム帯域幅（奇数であるか偶数であるか）に影響を受けないことができる。また、ｍａｘＲＢは、ＮＲがサポートする最大のシステム帯域幅を包括する保護帯域を含む潜在的な最大ＲＢのサイズである。ｍａｘＲＢが大きすぎる場合、ＲＢインデックスの全体のサイズを増加することができる。従って、インデクシングオーバーヘッドを最小化するために、ＰＢＣＨ及び／又はＳＩＢはＲＢインデックス値を減少させるために各ＲＢインデックスから抽出できるＲＢオフセットを示すことができる。例えば、ｍａｘＲＢが１００００であり、システム帯域幅が１００ＲＢである場合、ＲＢインデックスが［０，２００］の範囲に属するように９８００のＲＢオフセットを構成することができる。あるいは、ｍａｘＲＢは、ＰＢＣＨ／ＳＩＢにより示されたシステム帯域幅から決定されることができ、ｍａｘＲＢはＲＢの２＊システム帯域幅と定義されることができる。
【００５１】
その代わりに、システム帯域幅が与えられない場合、ＮＲ搬送波のシステム帯域幅がｍａｘＲＢより小さく、アンカーＭ−ＳＢより大きいとＵＥが仮定すると、ｍａｘＲＢが示されることができる。例えば、搬送波結合又は搬送波セグメントアグリゲーション（aggregation）が動的に用いられる場合、動的に変化できるネットワークのシステム帯域幅は示されないことがある。むしろ、ＲＢグリッド（grid）を形成するための任意の必要な情報が与えられることができる。基準ヌメロロジー（又は、デフォルトヌメロロジー又は基本ヌメロロジー）と呼ばれる同期信号及び／又はＰＢＣＨとして用いられるヌメロロジーは、データスケジューリング又は共通信号スケジューリングで主に用いられるヌメロロジーとは異なる可能性がある。ＰＢＣＨに対するＰＲＢインデクシング側面で、ｍａｘＲＢは、ＰＢＣＨの帯域幅と同一であり得る。すなわち、ＰＢＣＨに対するＲＢインデクシングは、ＰＢＣＨ帯域幅内で局部的に（locally）決定される。他のチャネルの場合、中心周波数とｍａｘＲＢ（システム帯域幅又は定義された値に基づく）をＲＢグリッド形成に用いることができる。
【００５２】
全体Ｍ−ＳＢより小さいサイズを有するエッジＭ−ＳＢもデータスケジューリングに用いられることができる。システム帯域幅がＵＥに知られていない場合、利用できるＰＲＢのみの使用がネットワークにより取り扱われる（handle）。
【００５３】
Ｍ−ＳＢの定義は、ＳＩＢ、ランダムアクセス応答（ＲＡＲ：random access response）、ページングなどの共通データに対してのみ用いられる。
【００５４】
ＳＩＢがＰＤＣＣＨを介して送信される場合、ＳＩＢを搬送するＰＤＣＣＨに対するリソースセットも最小帯域幅に制限されることができる。最小帯域幅は、システム帯域幅とＵＥ最小帯域幅のうち最小値と定義されることができる。ＵＥ最小帯域幅は仕様に定義されることができ、周波数範囲又は帯域別に異なる。システム帯域幅内で設定されたＰＤＣＣＨリソースセットの位置及び帯域幅は、ＰＢＣＨにより指示されることができる。また、ＳＩＢのために設定されたＰＤＣＣＨリソースセットに対する必要な情報は、ＰＢＣＨ又は追加的なＰＢＣＨにより指示されることができる。ＰＤＣＣＨのための共通検索空間（ＣＳＳ：common search space）を構成する側面で、以下のオプションが考慮される。
【００５５】
（１）オプション１：システム帯域幅はサブバンドのセットに分割（divide）でき、それぞれのサブバンドのサイズはＫ個のＰＲＢである。ＰＤＣＣＨリソースセットのセットがそれぞれのサブバンド別に定義／構成されることができ、ＵＥは、これらのうち１つをモニターするように構成されることができる。同一構成が各サブバンドに適用されることができる。このオプションが用いられると、ＵＥモニタリングサブバンドに関係なく、ＵＥは同一のＣＳＳを検索することができる。これが用いられると、ＰＤＣＣＨのためのＣＳＳの構成は、以下のうち少なくとも１つを含む。
【００５６】
−サブバンドのＰＲＢの数：ＰＲＢは、最低周波数又は最高周波数から開始する。また、追加的なオフセットが構成されることもでき、又は、サブバンドのＰＲＢが明示的に指示されることもできる。
【００５７】
−ＣＳＳのために用いられるＯＦＤＭシンボルの数
【００５８】
−アグリゲーションレベル（ＡＬ：aggregation level）別のブラインドデコーディング候補
【００５９】
−送信方式及び送信方式に対する関連パラメータ
【００６０】
ＰＤＣＣＨのためのＣＳＳは、ＵＥがモニターするように構成されたサブバンドにおいて構成／適用できる。ＵＥが複数のサブバンドで構成される場合、制御モニタリングのために指示されたサブバンド又は１番目のサブバンドに該当構成が適用される。このアプローチの利点は、ＵＥがそのモニタリングサブバンドを変更してもＵＥがそのＳＳ構成を変更する必要がないということである。また、それぞれのサブバンドにおいて、必要な同期信号及び測定参照信号（ＲＳ：reference signal）が送信されることができる。
【００６１】
（２）オプション２：ＵＥがサポートする帯域幅に応じてＵＥ別に異なる検索空間を構成することができる。この場合、ＵＥがサポートする帯域幅に応じて別個の構成が考慮される。
【００６２】
図８は、本発明の一実施形態によるＵＥ別の検索空間の構成例を示す。図８を参照すると、ＵＥ１はビームｂ１及びｂ２をモニターし、ＵＥ２はビームｂ２及びｂ３をモニターする。また、ＵＥ１によりサポートされる帯域幅はシステム帯域幅より狭く、ＵＥ２によりサポートされる帯域幅はシステム帯域幅と同一である。
【００６３】
同期信号がネットワーク搬送波に配置されない可能性があるので、同期信号に応じて、サブバンドとアンカーサブバンド間の関係が異なる可能性がある。アンカーサブバンドを配置する観点から以下のオプションが考慮される。
【００６４】
（１）オプション１：アンカーサブバンドは、決定されたサブバンドのうち１つにのみ配置される。サブバンドのサイズはシステム帯域幅に基づいて決定され、その後、アンカーサブバンドはサブバンドのうち１つに属するべきである。例えば、システム帯域幅が４００ＭＨｚであり、サブバンドのサイズが１００ＭＨｚである場合、アンカーサブバンドは４つのサブバンドのうち１つでなければならない。アンカーサブバンドにおいて、初期同期信号の位置は可変であり、アンカーサブバンドの任意の位置に配置されることができる。こうすることにより、初期同期信号の可能な位置が制限される。しかしながら、同一の周波数帯域でネットワークによりサポートされる異なる帯域幅がある場合は、異なるシステム帯域幅の間に一部アラインメント（alignment）を有することが好ましいかもしれない。例えば、あるセルが４＊１００ＭＨｚで動作し、他のセルが４００ＭＨｚで動作するには、１００ＭＨｚのサブバンドサイズが、同一の周波数のセル間に異なるシステム帯域幅を整列するのに有利であり得る。しかしながら、これも同期信号の可能な位置を制限する可能性がある。
【００６５】
サブバンド形成は、周波数範囲又は周波数帯域別に定義されることができる。例えば、現在のＬＴＥ帯域はＮＲで再構成されるか、共有されることができ、この場合、サブバンドは１であり得て、サブバンドサイズはシステム帯域幅と同一であり得る。すなわち、サブバンドは、ＬＴＥ周波数と同一であるか又は重なる周波数帯域でサポートされないことがある。代わりに、１つ以上のＬＴＥ周波数帯域にわたるＮＲ帯域が再定義される場合、一部のＵＥがシステム帯域幅をサポートしないこともある。すなわち、このような場合も前述した条件が発生する可能性がある。このために、ＵＥ最小帯域幅要求又は典型的なＵＥ ＲＦ帯域幅に応じて、固定されたサブバンドサイズ、例えば、２０ＭＨｚ又は１０ＭＨｚがＬＴＥ周波数帯域と重なる周波数帯域においても決定されることができる。
【００６６】
このオプションが用いられると、同期化又はＳＳブロックの位置はサブバンドサイズにより制限される可能性がある。言い換えると、一部の同期化ラスターは、ＳＳブロックをサブバンドにわたるようにする（すなわち、サブバンドに完全に含まれない）同期信号マッピングのために用いられることができない。すなわち、ＵＥは、１つのサブバンドに含まれることができないため、そのような候補に同期信号マッピングがない可能性もあるので、一部の同期化ラスターを検索する必要がないと仮定することができる。
【００６７】
（２）オプション２：アンカーサブバンドは初期同期化に基づいて形成されることができる。ＳＳブロックの中心がアンカーサブバンドの中心であると仮定する同期信号に基づいて、アンカーサブバンドは暗示的に形成されることができる。アンカーサブバンドのサイズは、仕様で定義されるか、ＭＩＢにより構成されることができる。このオプションを用いると、隣接セル間に同期化が送信される周波数が異なる場合、サブバンドが隣接セル間に整列されない可能性がある。また、副搬送波及びＲＢグリッドも整列されない可能性がある。
【００６８】
（３）オプション３：ＵＥ特定帯域幅に対するアンカーサブバンド及び他のサブバンドは、個別に処理されることができる。言い換えると、サブバンド形成は、システム帯域幅に基づくか、オプション１で言及したように、周波数範囲又は帯域別の仕様に明示されることができ、同期信号はサブバンド形成と関連なく送信されることができる。言い換えると、同期信号はどこでも送信されることができ、従って、アンカーサブバンドはサブバンドと部分的に又は完全に重なるように形成されることができる。
【００６９】
図９は、本発明の一実施形態によってアンカーサブバンド及び他のサブバンドを個別にＵＥ特定帯域幅に対して処理する例を示す。図９を参照すると、サブバンド形成及びアンカーサブバンドは個別に構成される。従って、同期信号を搬送するアンカーサブバンドがサブバンドと重なる。
【００７０】
（４）オプション４：サブバンドは、ＰＢＣＨにより指示される中心周波数に基づいて形成されることができ、最大システム帯域幅は、周波数範囲又は周波数帯域別に定義されるか、ＭＩＢにより指示されることができる。言い換えると、サブバンドサイズ及び最大システム帯域幅はネットワークにより指示されることができ、実際のシステム帯域幅は指示されるか、指示されないことがある。このような値は、仕様に予め定められていることができ、これは、周波数によって変化する。このオプションが用いられると、ＵＥは、一部のサブバンドに接続できない可能性がある。このような場合、ＵＥが接続できる周波数領域は、サブバンド割り当て又はＵＥ特定帯域幅割り当てにより、又は共通シグナリングによりＵＥに知られるべきである。ネットワークがＵＥによって節電のために帯域幅を動的に適応させる場合、アンカーサブバンドが最小システム帯域幅に含まれることができる。帯域幅は最小システム帯域幅として指示されることができる。動的な帯域幅適応を可能にするために、グループ共通ＰＤＣＣＨなどの、半静的（semi-static）及び／又は動的シグナリングにより指示され得る動的予約リソースを変更することも可能である。
【００７１】
サブバンド形成が構成／定義されるとき、サブバンドのセットはグループ共通シグナリングを介してＵＥに明示的に指示されることができる。代わりに、サブバンドのセットは、ＵＥが構成される周波数領域の開始及び終了によりＵＥに暗示的に示されることができる。周波数領域は、１つ以上のサブバンドを含むことができる。複数のサブバンドの場合、ＵＥはまた、構成された周波数領域内のサブバンドの追加情報で指示されることができる。
【００７２】
本発明の一実施形態による初期接続サブバンドも定義されることができる。ＳＳブロックサイズがサブバンドサイズより小さい場合、ＳＩＢ読み取りのためのＣＳＳを明確にする必要がある。１つのアプローチは、ＵＥが任意の周波数再調整（retuning）を行う必要がないようにＳＳブロック内にＳＩＢのためのＣＳＳを構成することである。他のアプローチは、周波数再調整が必要であることも、又は必要でないこともあるＭＩＢによりＳＩＢのためのＣＳＳを構成することである。サブバンドがＳＳブロックに基づいて形成されない場合、少なくともＳＩＢのためのＣＳＳに対しては、ＳＳブロック内又はＳＳブロックの周囲に形成されることができる。すなわち、ＳＩＢのためのＣＳＳはＰＢＣＨにより指示されることができる。
【００７３】
ＳＩＢにおいて、他のサブバンドに対するＣＳＳに関する追加情報が提供されることができる。代わりに、アンカーサブバンドは常にサブバンドの一部を形成することもできる。サブバンドと整列されるために、サブバンド中心とＳＳブロック中心間のオフセットはシステム帯域幅に基づくか、又は通知されることができ、従って、サブバンド形成がＵＥに知られ得る。代わりに、ＣＳＳを構成するとき、ＳＳブロックの中心を基準にＣＳＳのＰＲＢインデックスを構成することができる。言い換えると、ＳＩＢのためのＣＳＳの周波数位置にＳＳブロックに対するオフセットを用いることができる。最大サブバンドサイズ又は定義されたサブバンドサイズを仮定すると、仮想ＲＢインデクシングはＳＳブロックの周囲に形成されることができ、ＣＳＳのためにＰＲＢのセットが構成されることができる。これは、ＰＲＢインデクシングがシステム帯域幅の中心の代わりにＳＳブロックの周囲で行われることを意味する。このアプローチが用いられるとき、類似の方式がＵＬ ＰＲＢインデクシングに用いられることができる。または、ＵＬ ＰＲＢインデクシングは、アップリンク中心又は基準ＵＬ周波数に基づいて行われる。ＵＬ周波数は、それぞれのＵＬ搬送波に対して示されることができる。異なるＵＬ中心が異なるＵＥに対して構成できるので、これは、ＵＬ搬送波の中心がＭＩＢ／ＳＩＢを介して指示／通知されると仮定する。
【００７４】
アンカーサブバンドがサブバンドの一部ではない場合、又は複数のサブバンドと重なる場合、ＰＢＣＨのために、ＰＲＢインデクシングは、ＳＳブロック又は最小システム帯域幅内でＰＲＢインデクシングに従うことができる。他のチャネルに対する他のＰＲＢインデクシングは、サブバンド形成がＵＥに知られると、サブバンド形成に従うことができる。言い換えると、ＵＥは、システム帯域幅の中心に関する情報を取得するまでＳＳブロックをＰＲＢインデクシングの中心に仮定することができる。または、ＵＥは、実際の中心に関係なくＳＳブロックの中心をＰＲＢインデクシングの中心とみなすことができる。その後、ＰＲＢインデクシングは、前記仮定又はＭＩＢで搬送される情報によってサブバンド帯域幅又はシステム帯域幅に基づくことができる。例えば、ＭＩＢがシステム帯域幅を搬送する場合、ＰＲＢインデクシングはシステム帯域幅に基づくことができる。また、ＭＩＢがシステム帯域幅を搬送しない場合、ＰＲＢインデクシングはサブバンド帯域幅に基づくことができる。
【００７５】
初期接続のために、アンカーＭ−ＳＢが用いられることができる。これは、少なくともアンペアードスペクトルに対してサポートされる。代わりに、他の領域は、例えば、ＰＲＡＣＨ（physical random access channel）構成により指示されることができる。ＰＲＡＣＨ構成に基づいて、ＵＥは、ＵＬ周波数をスイッチングすることができ、ＰＲＡＣＨ構成は、ＲＡＲが予想されることのできる（もしかするとＭ−ＳＢ内の）制御サブバンド情報を含むことができる。Ｍｓｇ３のＭ−ＳＢは、ＲＡＲ又はＳＩＢ（例えば、ＲＭＳＩ(remaining system information)）により動的又は半静的に構成されることができる。基本的に、ＰＲＡＣＨに対する同一のＭ−ＳＢがＭｓｇ３送信のために用いられることができる。Ｍｓｇ４のＭ−ＳＢの場合、ＲＡＲのための同一のＭ−ＳＢ又は同一の制御サブバンドが用いられるか、あるいは、Ｍｓｇ４のＭ−ＳＢはＲＡＲ又はＳＩＢにより動的又は半静的に指示されることができる。データサブバンドに対して、異なるように構成されない限り、制御サブバンドが位置するＭ−ＳＢはＤＬデータサブバンドに用いられることができ、ＵＬ送信がスケジュールされるＭ−ＳＢは、非ＵＥ特定データ送信のためのＵＬデータサブバンドに用いられることができる。類似の概念がＳＣ−ＰＴＭ（single cell point-to-multipoint-PTM）又は任意の他のマルチキャスト送信、サイドリンク、及びブロードキャストメカニズムに適用されることができる。
【００７６】
本発明の一実施形態によるＤＬ／ＵＬのためのＵＥ特定帯域幅が説明される。Ｍｓｇ４に用いられる制御サブバンドは、再構成されるまでＵＥ特定検索空間（ＵＳＳ：UE-specific search space）に用いられることができる。Ｍｓｇ３において、必要なＣＳＩフィードバックが、局部化したマッピングをサポートするために伝達されることができる。フィードバックが十分でない場合、まず分散したマッピングがＭｓｇ４のための検索空間及びデフォルトＵＳＳに用いられることがある。ＵＳＳのためのデフォルトデータサブバンドは、再構成されるまで、Ｍｓｇ４制御サブバンドが構成されるＭ−ＳＢにおいて定義されることができる。このようなデフォルトデータサブバンドは、ＵＥ能力帯域幅より小さいことがある。ＵＥは、帯域幅サポートの観点からＭｓｇ３を介してその能力を報告することができる。または、ＰＲＡＣＨ構成は、ＵＥをサポートする異なる帯域幅が異なるＰＲＡＣＨリソースを選択してＰＲＡＣＨを検出することにより、ネットワークが帯域幅性能を知ることができるように構成される。ＵＥがＵＳＳに対する制御領域に再構成される場合、Ｍｓｇ４に対する制御サブバンドはフォールバック目的として用いられることがある。前記構成において、新しいＵＳＳとデフォルトＵＳＳ間の検索空間分割が指示されるか、ＵＥは２つの検索空間の間に検索空間が同等に分割されるＲＲＣ（radio resource control）再構成が完了するまで両方ともを検索する必要がある。または、フォールバック動作、ＰＲＡＣＨ動作などのためにデフォルト検索空間が維持されることができる。
【００７７】
ＲＦ／ベースバンドの観点からＵＥ能力により充足できる限り、ＵＥは、それぞれＤＬ及びＵＬに対して複数のデータサブバンドから構成されることができる。より具体的には、送信ブロック（ＴＢ：transport block）がそれぞれのデータサブバンドに対してマッピングされることができ、１つのデータサブバンドは部分的に又は完全に他のサブバンドと重なることができる。
【００７８】
図１０は、本発明の一実施形態による異なるＵＥ特定帯域幅オプションの例を示す。図１０を参照すると、複数のサブバンドが構成されるとき、サブバンドのアグリゲーションが異なる方式でサポートされる。システム帯域幅内において、ＵＥのデータ速度要求事項によって、連続的（contiguous）、非連続的（non-contiguous）であるより小さい帯域幅が構成されることができ、周波数領域は、ＲＦ帯域幅能力によって周波数再調整遅延（retuning delay）と共に又は無しに他の領域にホップされることができる。非連続的サブバンド割り当てを許容する理由の１つは、周波数選択的スケジューリングを可能にすることである。図１０−（ａ）は、イントラ非連続的サブバンドアグリゲーション（intra-non-contiguous subband aggregation）の場合を示す。図１０−（ｂ）は、イントラ連続的サブバンドアグリゲーションの場合を示す。図１０−（ｃ）は、重畳サブバンドアグリゲーションの場合を示す。図１０−（ｄ）は、複数のＲＦに対するサブバンドの場合を示す。図１０−（ｅ）は、ＵＥ帯域幅内の制御サブバンドの場合を示す。図１０−（ｆ）は、サブバンド内の制御サブバンドの場合を示す。
【００７９】
便宜上、以下のサブバンドが本発明の実施形態によって定義されることができる。
【００８０】
（１）共通データサブバンド：共通データタイプ又は目的又はＲＮＴＩ（radio network temporary identity）又はグループによって複数の共通データサブバンドがあり得る。与えられたＵＥに対して、与えられた共通データに対して最大１つの共通データサブバンドが存在することができる。代わりに、後述するＵＥデータサブバンドにおける同一の手順も共通データサブバンドに適用できる。ＵＥがＵＥ特定データサブバンドで構成されると、構成されたＵＥ特定データサブバンドの少なくとも１つ以上も共通データサブバンドに用いられることができる。
【００８１】
共通データサブバンドは、ＤＬ及びＵＬに対して個別に定義されることができる。周波数領域が異なり、ＵＥ ＲＦ能力外（従って、周波数再調整を要求する）の場合、ＤＬ／ＵＬ間のギャップはまた、アンペアードスペクトルにおける周波数再調整遅延を含むことができる。ＵＥが中心周波数をスイッチングする必要がある場合、周波数再調整を必要とすることもある。このような意味で、サブバンドが中心周波数のスイッチングを必要とする異なる周波数領域において構成されるか、又はＲＦフィルタを最適化するためにその中心を適応させる必要がある場合、これはまた再調整遅延を要求することもできる。
【００８２】
（２）共通制御サブバンド：共通制御サブバンドは、共通データに対する制御が送信される領域に対応する。一般に、これは共通データサブバンドのサブセットであり得る。あるいは、共通データサブバンド及び共通制御サブバンドがＭ−ＳＢ又はアンカーＭ−ＳＢ内に配置されることができる。
【００８３】
（３）ＵＥデータサブバンド（又は、単にデータサブバンド）：１つのサブバンドはＵＥの観点から連続的な又は非連続的なＰＲＢから構成されることができる。データサブバンド別に以下の少なくとも１つが定義されることができる。
【００８４】
−データ送信に用いられるヌメロロジー：単一ヌメロロジーがデータサブバンド別に定義される。
【００８５】
−スロット長、ミニスロット長：ＴＴＩがデータサブバンド別に定義される。
【００８６】
−ＲＡＴ（例えば、ＮＲ、ＬＴＥ）がＵＥデータサブバンド別に構成されることができる。
【００８７】
−最大送信ブロックサイズ（ＴＢＳ：transport block size）：最大ＴＢＳは、データサブバンドの最大ＲＢの数により暗示的に決定されるか、又は明示的に指示されることができる。
【００８８】
−１つのデータサブバンドにマッピングされた最大１つのＴＢ：複数のレイヤがある場合、最大１つのＴＢが各レイヤにあり得る。この場合、１つのデータサブバンドにおいて複数のレイヤを有するＴＢの最大個数が依然としてサポートされることができる。初期送信及び再送信が同一のデータサブバンド又は少なくとも同一のデータサブバンドセットにおいて発生することがある。データサブバンドセットは、同一のヌメロロジー、及び、もしかすると他の周波数領域リソース及び制御リソースセット構成などの異なる構成を有するデータサブバンドのセットとして定義されることができる。ＵＥは、一度に１つのデータサブバンドセット内のデータサブバンドのうち最大１つのデータサブバンドにＴＢでスケジュールされることができる。しかしながら、ＵＥは、複数のＴＢでスケジュールされることができ、それぞれのＴＢは１つのデータサブバンドセット内の１つのデータサブバンドにマッピングされることができ、ここで、複数のデータサブバンドセットが構成され、複数のデータサブバンドが活性化される。
【００８９】
−データサブバンドはＵＥ特定帯域幅内にあるべきであり、ＵＥ特定帯域幅は時間に応じて変化する。言い換えると、ＵＥは、複数のデータサブバンドから構成されることができ、１つのデータサブバンドが一度に活性化されることができる。前述したように、最大１つのデータサブバンドが１つのデータサブバンドセットから与えられた時間に活性化される。データサブバンドは、帯域幅部分（ＢＷＰ：bandwidth part）と呼ばれることができる。
【００９０】
（４）ＵＥ制御サブバンド（又は、単に制御サブバンド）：１つ以上の制御サブバンドが構成されることができる。それぞれのデータサブバンドは１つ以上の制御サブバンドを有することができ、実際の構成は分離されることができ、データサブバンド構成において関連のみが指示されることができる。制御サブバンドは以下のように定義される。
【００９１】
−制御送信に用いられるヌメロロジー：単一ヌメロロジーが制御サブバンド別に定義される。
【００９２】
−モニタリング間隔（interval）：モニタリング間隔の１つの構成が制御サブバンド別に定義される。
【００９３】
−制御サブバンド内におけるＲＥＧ（resource element group）／ＣＣＥ（control channel element）インデックス：異なる制御サブバンドにわたる交差（cross）ＲＥＧ／ＣＣＥインデクシングはサポートされない。
【００９４】
− ＲＥＧ／ＣＣＥリソースマッピング方式：局部的な又は分散したマッピングが構成されることができる。
【００９５】
２．制御サブバンド及びデータサブバンドマッピング
【００９６】
制御サブバンド対データサブバンドのマッピングは、 １−１又はｎ−１又はｎ−ｍ又は１−ｍであり得る。詳細な内容は次の通りである。
【００９７】
（１）１つの制御サブバンドはただ１つのデータサブバンドにのみデータをスケジュールすることができる。従って、リソース割り当てにおいてデータサブバンドを示す必要がない。
【００９８】
（２）複数の制御サブバンドが１つのデータサブバンドにデータをスケジュールすることができる。依然として、これは排他的（exclusive）であるので、リソース割り当てにおいてデータサブバンドを示す必要がない。
【００９９】
（３）１つの制御サブバンドによりデータを複数のデータサブバンドにスケジュールすることができ、１つのデータサブバンドは、複数の制御サブバンドによりスケジュールされることができる。この場合、データサブバンドの指示が必要である。データサブバンドは、リソース割り当てで指示されるか、別途に指示されることができる。代わりに、１つの制御サブバンドが複数のデータサブバンドをスケジュールする場合、制御サブバンド又は検索空間はデータサブバンド間で分離されることができる。１つのアプローチは、候補を複数のサブバンドに分割することである。他のアプローチは、複数のサブバンド間でＣＣＥを分けることである。特に、アンカー又はプライマリサブバンドがＵＥに構成され、付加的なセカンダリサブバンドが動的に活性化／非活性化できる場合に有用であり得る。詳細な内容は後述する（５．ＳＢアグリゲーションとの動的帯域幅共有）。
【０１００】
また、１つの制御サブバンドがデータを複数のデータサブバンドにスケジュールするとき、サブバンドインデックスがまた制御情報において識別される必要がある。第１に、１つの制御サブバンドは、与えられた時間に同一のデータサブバンドセットから１つのデータサブバンドをスケジュールすることができる。前述したように、ヌメロロジーを変更しない帯域幅の変化は、データサブバンドに時間領域態様を追加するか、複数のデータサブバンドを構成することにより実現できる。この場合、複数のデータサブバンドが１つのデータサブバンドセットとして形成される。この場合に、データサブバンドの変化は、同一のデータサブバンドセットに属するデータサブバンド間のデータサブバンドスイッチングによって明示的に指示されるか、暗示的に指示されることができる。第２に、１つの制御サブバンドは、与えられた時間に複数のデータサブバンドセットから１つ又は複数のデータサブバンドをスケジュールすることができる。この場合、データサブバンドセット内のデータサブバンドの変化に関係なく、データサブバンドセットの指示が必要である。これらは全て結合されることができ、ＤＣＩ又はリソース割り当ての指示はデータサブバンドインデックスを指示することができる。データサブバンドインデックスは、データサブバンドセットに関係なくそれぞれのデータの帯域に対して固有に構成されることができる。これは、ＵＥが複数のデータサブバンド（又は、ＢＷＰ）で活性化でき、スケジューリングＤＣＩを介してスロットにわたって帯域幅適応をサポートする場合、特に有用であり得る。
【０１０１】
また、ネットワークによる任意の構成を許容することが重要であり得る。この場合、それぞれの制御サブバンドに対して、サブバンドを制御できるデータサブバンドなどのセットが指示されることができる。ただ１つのデータサブバンドが存在する場合、リソース割り当て又はデータの追加フィールドにおいてサブバンドインデックスは省略されることができる。１つ以上のデータサブバンドがある場合、サブバンドに対するある指示が必要であり得る。しかしながら、これは構成されたデータサブバンドによって可変ＤＣＩサイズを導くことができる。これを解決するために、代わりのアプローチは、任意の制御サブバンドが任意のデータサブバンドをスケジュールできると仮定することであり、従って、ＵＥに対して構成されたデータサブバンドの数が全てのリソース割り当てに対して仮定される。ただ１つのデータサブバンドをスケジュールする制御サブバンドに対して、このフィールドは予約されることができる。代わりに、データサブバンドインデックスフィールドのサイズがそれぞれの制御領域に対して構成されることができる。データサブバンドインデックスを指示するビットサイズは、ＵＥに対して構成されたデータサブバンド（又は、構成された場合の共通データ）によって可変であり得る。１つのデータサブバンドのみが構成される場合、ビットのサイズが０であり得る。
【０１０２】
複数のデータサブバンド及び制御サブバンドが構成されるとき、ＵＥ特定帯域幅は、連続的ＰＲＢにおいてデータ／制御サブバンドのスーパーセットと定義されるか、又は、ＵＥ特定帯域幅は、個別に構成されることができる。スーパーセットが用いられた場合、構成において最低のＰＲＢ及び最高のＰＲＢはＵＥ特定システム帯域幅を定義することができる。
【０１０３】
３．ＵＥ能力（UE Capability）
【０１０４】
ＵＥ ＲＦ能力によって、ＵＥは、２つ以上の連続的又は非連続的ＵＥ特定帯域幅（又は、ＵＥ特定搬送波）で構成されることができる。例えば、ＵＥは、以下の場合をサポートすることができる。
【０１０５】
−ＵＥは、Ｘ１．．．Ｘｋ（Ｋ個の搬送波の場合）システム帯域幅を有する連続的なイントラ帯域搬送波アグリゲーション（ＣＡ：carrier aggregation）及び／又は非連続的イントラ帯域ＣＡをサポートすることができる。すなわち、ＵＥは、ｋ個より少ないＲＦ要素でイントラ帯域ＣＡをサポートすることができる。ＮＲのシステム帯域幅がＵＥに典型的なＲＦ能力より小さく定義されると、このような場合がさらに必要になることがある。
【０１０６】
−ＵＥは、（少なくとも１つのＲＦ要素において）帯域内の最大ＲＦ帯域幅Ｘｍ≧ｍａｘ｛Ｘ１．．．Ｘｋ｝をサポートすることができる。すなわち、ＵＥは、単一ＲＦでイントラ帯域ＣＡをサポートすることができる。この場合、ＲＦ能力にはサポートされる帯域幅の合計が含まれることがある。
【０１０７】
−ＵＥは、ｋ個の異なるＲＦ要素をサポートすることができる。
【０１０８】
ＵＥは、１つのＲＦ要素の能力を有するイントラ帯域ＣＡで構成されないことがある。例えば、ＵＥが３０ＭＨｚをサポートしても、ＵＥが１０＋２０ＭＨｚ搬送波アグリゲーションをサポートすることができないと、ネットワークは１０＋２０ＭＨｚ搬送波を構成しないこともある。この場合、ネットワークは、３０ＭＨｚ搬送波を割り当てた後、１０＋２０ＭＨｚデータサブバンドアグリゲーションを割り当てることができる。これは、搬送波がＵＥに典型的な／最小のＲＦ能力より小さいシステム帯域幅を有することができるが、ネットワークは、イントラ帯域連続的ＣＡのためにＵＥに典型的な／最小のＲＦ能力帯域幅搬送波より小さい搬送波を割り当てることができないことを意味する。より一般に、ただいくつかのセットのＵＥ ＲＦ能力において、システム帯域幅は、ＵＥ ＲＦ能力などの組み合わせ（例えば、最大ＵＥ ＲＦ能力の２倍、能力値１＋能力値２の合計）より大きいことがある。
【０１０９】
これは、ＵＥがイントラ帯域連続的又は非連続的ＣＡをサポートするための個別のＲＦを有することを意味する。この場合、ＵＥは、ＲＦ別の搬送波で構成される必要があり、その後、搬送波内で制御／データサブバンドで構成されることができる。ＵＥ特定搬送波は、ネットワークの搬送波と異なることがある。また、ＵＥ特定搬送波は、いずれの同期信号も搬送しないこともあり、いずれのアンカーＭ−ＳＢも含まないこともある。ＵＥ特定搬送波はＵＥ特定サポート帯域幅と称することができる。制御／データサブバンドは、ＵＥ特定サポート帯域幅にわたって構成され、ＵＥ特定サポート帯域幅間のガード帯域はネットワークに指示され、及び／又はスケジューリング又はレートマッチング/パンクチャーリングにより回避されることができる。他のアプローチは、ＵＥ特定サポート帯域幅別に制御／データサブバンド構成を分離することである。これは、ＵＥの観点からＵＥ特定サポート帯域幅が搬送波として取り扱われるとみなすことができる。
【０１１０】
図１１は、本発明の一実施形態によるＵＥ特定サポート帯域幅の一例を示す。図１１を参照すると、制御／データサブバンドはＵＥ特定サポート帯域幅別に分離される。より具体的には、３つのデータサブバンドが定義され、１つのデータサブバンド（Ｄ−ＳＢ２）はＵＥ−ＲＦ ＢＷ又はＵＥ特定サポート帯域幅にわたっており、１つの制御領域はＵＥ特定サポート帯域幅の全てにわたって定義される。
【０１１１】
ＵＥ能力を決定するために、ネットワークは、ＲＦ能力及びベースバンド能力を用いることができ、以下の少なくとも１つが考慮される。
【０１１２】
−ＵＥは、ベースバンド能力とは別に帯域別の最大サポートＲＦ能力を指示することができる。これは、再調整遅延なしに周波数領域スイッチングを許容することができる。最大サポートＲＦ能力は事前に定義されることができる。また、ＵＥ ＲＦがＮ帯域幅の外部での再同期化（resynchronization）を必要とする場合、ＵＥは、Ｎ帯域幅（アンカーＭ−ＳＢを中心とする）外部の任意のサブバンドで構成されないこともあり、又は追加的な同期信号／追跡（tracking）ＲＳが異なるサブバンドにおいて送信されることもある。
【０１１３】
−ＵＥは、帯域別に最大サポートベースバンド能力を指示することができる。
【０１１４】
−ＵＥは、帯域別に連続的／非連続的なＣＡ能力を指示することができる。このような能力は、ＵＥが１つのＲＦ要素でサポートできるより大きい帯域幅搬送波をネットワークがサポートする場合、搬送波内のサブバンドアグリゲーションに用いられることができる。
【０１１５】
−ＵＥがインター帯域ＣＡをサポートする場合、帯域別のサポート可能なベースバンド能力が減少することがある。言い換えると、ＵＥが異なる搬送波に対するベースバンド能力を１つの搬送波にアグリゲーションさせることができると、ＵＥは、ベースバンド当たりにアグリゲーションされたベースバンド能力を報告することができる。インター／イントラ帯域ＣＡに対して、ネットワークによりアグリゲーション搬送波に分割される全体ベースバンド能力が指示されることができる。ＵＥが搬送波間の能力の柔軟なパーティショニング（flexible partitioning）をサポートできない場合、ＵＥはまた、各帯域組み合わせに対して帯域別のベースバンド能力を指示することができる。各帯域組み合わせに対して、サポートされる各帯域のＲＦ帯域幅も指示されることができる。
【０１１６】
ＮＲ ＵＥは、（もしかするとＦＦＴ(faster Fourier transform)を除いて）主に制御／データデコーディング性能に対して搬送波間にベースバンド能力を柔軟に共有することができる。従って、全体ベースバンド能力は、ネットワークによりパーティショニングされることができ、共有される帯域及び帯域組み合わせ別に指示されることができる。ＵＥが柔軟なベースバンド能力共有をサポートできない場合、ＵＥは、帯域組み合わせにおいて帯域別に個別ベースバンド能力を指示することができる。
【０１１７】
４．リソース割り当て（resource allocation）
【０１１８】
第１に、本発明の一実施形態によるデータサブバンド構成について説明する。周波数選択性スケジューリングが有用であり得るが、制御オーバーヘッドを最小化するために、より大きい帯域幅において大きなＴＢがスケジュールされることができる。この問題を解決するメカニズムの１つは、サブバンドを入れ子方式で定義することである。例えば、２つのデータサブバンドが形成され、２つのデータサブバンドをカバーする他のサブバンドが形成されることができる。
【０１１９】
構成されたデータサブバンドによりスケジュールされたＴＢＳがＵＥベースバンド能力より小さい限り、ＵＥは、全てのデータをデコードしようと試みることができる。また、データサブバンドのサイズは最小のサイズＭに基づいて、２ｋ＊Ｍ ＰＲＢで構成されることができる。
【０１２０】
第２に、本発明の一実施形態によるデータサブバンド内のリソース割り当て態様について説明する。データサブバンドは、連続的又は非連続的なＰＲＢから構成されることができる。与えられたデータサブバンドに対して（システム帯域幅を知っているか否かに関係なく）システム帯域幅内のＰＲＢインデックスがＵＥに知られ得る。リソース割り当てビットサイズを決定するために、以下のアプローチが考慮される。
【０１２１】
（１）ＵＥがサポートする帯域幅内で可能な複数のＰＲＢがリソース割り当てのために用いられることができる。ＵＥがＲＦ活性化状態に関係なく複数のＲＦによって広い帯域幅をサポートできる場合、ＵＥによりサポートされる全帯域幅が用いられることができる。そうではなく、システム帯域幅より小さい場合、システム帯域幅を用いることができる。
【０１２２】
（２）与えられたＵＥに対するデータサブバンドに構成された最大個数のＰＲＢが任意のダウンリンク制御情報に対するリソース割り当てのために用いられることができる。非連続的ＰＲＢの場合、構成されたるＰＲＢのみがカウントされることができる。ＲＢＧがリソース割り当てに用いられる場合、与えられたＵＥに対してデータサブバンドに構成された最大個数のＲＢＧがリソース割り当てのために用いられることができる。この動機は、構成された全てのサブバンドに対してリソース割り当てフィールドのサイズを整列することである。
【０１２３】
（３）各制御領域は、リソース割り当てフィールドにおいて用いられるＰＲＢの数で構成されることができる。これは、割り当てられたＰＲＢより大きくあるべきだが、サイズの決定はネットワークによる。
【０１２４】
（４）リソース割り当てにおいてリソースブロックグループ（ＲＢＧ：resource block group）サイズを適応させて同一のリソース割り当てサイズを維持することができる。データサブバンドサイズがＭ＊２ｋの関数である場合、データサブバンドのサイズに関係なく同一サイズのリソース割り当てを維持するためにＲＢＧのサイズを２ｋずつ増加させることができる。データサブバンドサイズがＭである場合、ＲＢＧのサイズはＰであると仮定することができる。次に、Ｍ＊２ｋがデータサブバンドサイズで構成されると、Ｐ＊２ｋだけ増加させることができる。
【０１２５】
（５）全ての場合において、未使用ビットは予約（reserve）されるか、他の目的として用いられることができる。
【０１２６】
ＲＢインデクシングの観点で、２つのアプローチが考慮される。それぞれのデータサブバンドにおいて、ＲＢインデクシングは個別に行われる。または、ＲＢインデクシングはシステムのＲＢインデクシングに従うことができる。
【０１２７】
図１２は、本発明の一実施形態による個別的なＲＢインデクシングの例を示す。しかしながら、個別的なＲＢインデクシングは異なるＵＥ間のＲＢインデクシングの観点から曖昧さ（ambiguity）を引き起こすことがある。また、このアプローチは、任意の共通データマッピングを混同（confuse）させ、ＲＳシーケンス性能などを低下させる可能性がある。
【０１２８】
このような意味で、０、１．．.Ｎ（Ｎ＋１はデータサブバンドのＰＲＢの数）にマッピングできる論理ＰＲＢインデックスがそれぞれのデータサブバンド別に用いられることができる。連続的なＰＲＢがデータサブバンドに割り当てられると、論理ＰＲＢから物理ＰＲＢへのマッピングが連続的に行われることができる。サブバンドの非連続的なＰＲＢに対して、リソース割り当て目的で割り当てられたそれぞれのＰＲＢに対して論理ＰＲＢインデックスは１．．.Ｎ（昇順）に構成されることができる。仮想ＰＲＢが適用されると、物理ＰＲＢから仮想ＰＲＢへのマッピングが適用された後にインデックスが用いられることができる。しかしながら、データスクランブリング、ＲＳマッピングなどにおいて論理インデックスの代わりに物理ＰＲＢインデックスを用いなければならない。論理ＰＲＢインデックスはリソース割り当て目的でのみ用いられることができる。
【０１２９】
論理ＰＲＢインデックスに基づいて、以下のリソース割り当てメカニズムが適用される。
【０１３０】
（１）ＲＢＧベースのリソース割り当て：ＲＢＧサイズは連続的な場合、データサブバンドのサイズにより定義されることができる。前述したように、ＲＢＧのサイズはデータサブバンドのサイズに比例して定義されることができる。非連続的な場合、ＲＢＧサイズが固定されるか、ネットワークにより構成されることができる。これは、連続的な場合に適用されることができる。ＲＢＧサイズ構成は、２つのセットのうち１つのセットを指示することができる（１つのセットは帯域幅範囲別にＲＢＧのサイズから構成される）。前記構成に基づいて、それぞれのデータサブバンド別にＲＢＧのサイズが決定されることができる。
【０１３１】
（２）コンパクトリソース割り当て：前述したように、フィールドサイズは、構成されたサブバンドの最大値、またはネットワークにより構成された最大値または構成されたサブバンドサイズによって決定されることができる。
【０１３２】
（３）連続的リソース割り当て：論理ＰＲＢインデックスに基づいて物理リソースがＰＲＢバンドル内で非連続的である場合、復調ＲＳ（ＤＭ−ＲＳ ＰＲＢ）バンドリングのサイズがＵＥ別に又はサブバンド別に又は制御サブバンド別に構成されることができる。ＵＥは、非連続的ＰＲＢ間で同一のプレコーティングを仮定しないことがある。言い換えると、ＰＲＢバンドリングは物理的に非連続的ＰＲＢに適用できる。例えば、論理ＰＲＢインデックス３、４、５がプレコーティングのためのバンドリングされたＰＲＢにグループ化したＰＲＢインデックス２０、２１、４４を指示する場合、バンドリングは、ＰＲＢインデックス２０及び２１にのみ適用される。代わりのアプローチは、論理的ＲＢよりＰＲＢに関するバンドルサイズに基づいたＰＲＢバンドリングを適用することである。
【０１３３】
（４）ホッピング：ホッピングが可能である場合、ホッピングはデータサブバンドでのみ適用される。代わりに、再調整遅延が考慮されると、ホッピングが搬送波内に適用されることもできる。より具体的に、ホッピング帯域幅は、各制御サブバンド別に（ＵＳＳの場合はＵＥ個別に、ＣＳＳの場合はセル個別に）又はセル個別に構成されることができる。
【０１３４】
（５）リソース割り当てタイプ：データサブバンドが周波数選択性スケジューリングを用いるように形成されると、少なくともＲＢＧ内でむしろ連続的にデータをスケジュールすることが一般的に好ましいことがある。この場合、それは連続的マッピング（すなわち、コンパクトリソース割り当て）に基づいたリソース割り当てで構成されることができる。サブバンドがより大きい帯域幅にわたって形成されると、分散したスケジューリングが有用であり得る。この場合、ＲＢＧのビットマップを用いることができる。また、用いられた送信方式又は用いられたＤＣＩフォーマットに関係なくサブバンド別にリソース割り当てタイプが構成される。しかしながら、異なるリソース割り当てのサイズが割り当てタイプ（例えば、リソース割り当てタイプ０ないし割り当てタイプ２）と共に用いられると、これはサブバンドにおいて異なる割り当てのサイズを導くことができる。任意のサブバンドが制御サブバンドによりスケジュールされると、これは異なるＤＣＩのサイズを導くことができる。これを解決するための１つであるアプローチは、データサブバンドのセットを制限することにより、制御サブバンドによりスケジュールされた同一サイズのリソース割り当てタイプを用いることである。代わりに、リソース割り当てタイプは制御サブバンド別に構成されることができ、制御サブバンドによりスケジュールされたサブバンドに適用されることができる。
【０１３５】
５．ＳＢアグリゲーションで動的帯域幅共有
【０１３６】
必要なデータの帯域幅に応じたバッテリ節約又は効率的な動作のために、制御／データ受信／送信のための帯域幅は、半静的に又は動的に適応されることができる。動的帯域幅共有を用いる簡単なアプローチは、アンカーデータサブバンド又はプライマリデータサブバンド（ＰＳＢ：primary data subband）を割り当てることである。アンカーデータサブバンド又はＰＳＢは、帯域幅適応に関係なく変更されないことがある（又は、半静的に変更されることがある）。また、補助（supplemental）又はセカンダリデータサブバンド（ＳＳＢ：secondary data subband）が動的にアグリゲーションされるか、アグリゲーションされない。サブバンドのサイズも動的に変更されることができる。ＤＣＩにより指示されることのできるＳＳＢが割り当てられると、ＴＢは、アンカーサブバンド又はＳＳＢ又は両方ともにマッピングされることができる。言い換えると、ＵＥは、１つより多いデータサブバンドで構成されることができ、１つのデータサブバンドサイズは小さいことがあり、他のデータサブバンドサイズは大きいことがある。ＤＣＩ内のデータサブバンドの指示のようにＤＣＩにより２つの間のスイッチングが行われる。複数のデータサブバンドの構成の側面において、構成されたデータサブバンド間の入れ子になった（nested）構造が考慮されることができる。
【０１３７】
ＵＥは、自分の帯域幅を適応させるために時間を必要とすることがあるので、他のアプローチは、アンカーサブバンドに対して同一のサブフレームスケジューリングを適用し、ＳＳＢに対してクロスサブフレームスケジューリングを適用することである。これは、ＳＳＢが活性化／追加される場合にのみ適用される。より具体的に、ＵＥ帯域幅は、固定されたサブバンド及び可変サブバンドに対して割り当てられることができる。固定サブバンドは変更されないことがあるが、可変サブバンドは、データレート又は場合によっては変更されることができる。別途のＴＢが固定及び可変サブバンドでスケジュールされることができ、可変サブバンド（又は、ＳＳＢ）に対するスケジューリングは、スケジューリングを介して動的に活性化される。この場合、ＵＥが自分の帯域幅を適応させるために、制御とデータとの間に追加遅延が追加されることができる（これは、クロススロット／サブフレームスケジューリングにより又は制御とデータとの間にギャップを追加することにより行われる）。ギャップが明示的に与えられないと、ＵＥは、可変サブバンドで搬送された最初のいくつのＯＦＤＭシンボルデコーディングを省略することができる。この場合、アンカーサブバンドは、ＬＴＥ ＣＡにおいてＰＣｅｌｌ（primary cell）として取り扱われることができ、ＳＳＢはＬＴＥ ＣＡにおいてＳＣｅｌｌ（secondary cell）として取り扱われることができる。ＳＣｅｌｌ追加／非活性化に用いられた類似したメカニズムがＳＳＢ活性化／非活性化に用いられる。しかしながら、このようなＳＳＢは、追加的な同期信号を搬送しないことがあり、同期化はアンカーサブバンドにおいて行われることがある。
【０１３８】
前述したように、この場合、制御サブバンドは、単にアンカーサブバンド（又は、ＰＳＢ）内に構成されることができる。この場合、制御サブバンドは、全てのサブバンドの制御情報を搬送することができる。または、制御サブバンドは、ＰＳＢ／ＳＳＢにより又は各サブバンド別に構成されることができる。
【０１３９】
これは、自己（self）−搬送波及びクロス搬送波スケジューリングを有するＣＡの場合と多少類似している。従って、ＣＡにおいて用いられた類似の技術が適用される。しかしながら、アンカーサブバンド内に１つの制御サブバンドのみが構成されると、活性化されたＳＳＢによって、制御チャネルモニタリングに対する異なる動作が以下のように考慮されることができる。
【０１４０】
（１）より多くの活性化されたサブバンドにより制御サブバンドサイズが拡張されることができる（すなわち、ＣＣＥの数を増加することができる）。１つのアプローチは、実行できるＣＣＥの数を増加させるために半静的又は動的に時間領域において拡張することである。１つの制御サブバンドが複数のサブバンドにわたって１つのＴＢをスケジュールする場合、ＤＣＩのリソース割り当てフィールドはそれによって増加し、これは、制御チャネルを送信するためにより多くのリソースを必要とする可能性がある。
【０１４１】
また、増加した制御サブバンドは複数のサブバンドに分割されることができる。例えば、各サブバンドのハッシング関数を用いて検索する開始ＣＣＥ（ＡＬ別に又はＡＬにわたって同一）を決定することができる。すなわち、ＣＣＥ又は検索空間は複数のデータサブバンドに分割される。この場合、候補により区別できるので、サブバンドインデックスに関する個別フィールドを必要としないことがある。異なるデータサブバンドに対する候補が衝突する場合、より小さいサブバンドインデックスがより高い優先順位を有することがある。この場合、ブラインドデコーディングの数は活性化されたデータサブバンドの数によって（半）線形に増加することができる。共通データは、ＰＳＢを介してのみスケジュールされることができるので、共通データに対する追加ブラインドデコーディングが用いられないことがある（現在のＣＡと類似する）。これは、全ての共通データに適用されることではなく、フォールバック及びＴＰＣ（transmit power command）関連共通データにのみ適用できる。
【０１４２】
（２）制御サブバンドサイズはブラインドデコーディングの増加した数と同様に維持される。前述したように、ブラインドデコーディングは、活性化されたサブバンドの数と共に増加することができる。この場合、前述と同様に、活性化されたサブバンド間に検索空間が分離されることができる（すなわち、前述したメカニズムがこの場合に適用される）。
【０１４３】
（３）制御サブバンドのサイズを維持し、ブラインドデコーディングの回数を同一に維持することができる。この場合、前述したように、サブバンドインデックスはＤＣＩで搬送されることができる、又は、検索空間は複数のデータサブバンドに分割されることができる。ブラインドデコーディングの数が比較的に少ない場合、サブバンドインデックスをＤＣＩで送信することが一般的に好ましい。このオプションは、ブラインドデコーディングの観点からＵＥ複雑性を最小化するためのものである。
【０１４４】
１つの制御サブバンドが複数のデータサブバンドをスケジュールする場合、制御領域上のレートマッチングは１つのデータサブバンドでのみ適用される。ＵＥがＰＳＢ及びＳＳＢをスケジュールする２つのＤＣＩを検出すると、ＵＥは、依然として制御サブバンドスケジューリングデータに対してデータレートマッチングを仮定することができる。言い換えると、対応するスケジューリング制御に用いられるリソースのみが（レートマッチングのために半静的に構成されたリソースに追加して）データレートマッチングのために仮定されることができる。代わりに、各スケジューリングＤＣＩにおいて、複数のサブバンドにわたってスケジュールされたＰＤＳＣＨの数が指示されることができ、これはまた、データレートマッチング目的のために用いられることもできる。
【０１４５】
図１３は、本発明の一実施形態によるデータサブバンドアグリゲーションによる動的帯域幅適応の例を示す。本発明で言及されるデータサブバンドは、データ構成サブバンド（Ｄ−ＣＳ：data-configured subband）に名称を変えることができる。図１３−（ａ）を参照すると、ＣＡと類似した動作が活用される。トラヒック又は電力消費要件に応じて、ＵＥは、１つ又は複数のデータサブバンドで構成されることができる。このアプローチの欠点は、データサブバンド別に異なるＴＢを個別にスケジュールするための潜在的な制御オーバーヘッドである。ＣＡなどの動作が用いられるため、動的帯域幅適応の影響は単純化することができる。例えば、ＵＥが低いトラヒックレートのための帯域幅Ａ及び高いトラヒックレートのための帯域幅Ｂで構成される場合、２つのデータサブバンドがＵＥに構成されることができる。第１データサブバンドは、帯域幅Ａをカバーすることができ、他のデータサブバンドは帯域幅Ｂ−帯域幅Ａをカバーすることができる。この場合、帯域幅Ｂはデータサブバンドアグリゲーションにより達成されることができる。
【０１４６】
また、制御オーバーヘッドを最小化するためのもう１つのアプローチは、２つのデータサブバンドを構成することであり、第１データサブバンドは帯域幅Ａをカバーすることができ、他のデータサブバンドは帯域幅Ｂをカバーすることができる。この場合、２つのデータサブバンドが部分的に重なる。図１３−（ｂ）は、２つのデータサブバンドが部分的に重なる場合を示し、図１３−（ｃ）は、２つのデータサブバンドが重ならない場合を示す。スケジューリングによって、ＵＥはどのデータサブバンドが活性化されたかを決定することができ、その帯域幅を動的に適応させることができる。
【０１４７】
図１４は、本発明の一実施形態によって複数のＲＦを有するデータサブバンドアグリゲーションによる帯域幅適応の例を示す。ＵＥがＮＲ搬送波において複数のＲＦを有する広帯域をサポートすると、全体データの帯域幅を適応させるために１つ以上のＤ−ＳＢがオン又はオフされることができる。
【０１４８】
６．サブバンドアグリゲーション活性化（Subband aggregation activation）
【０１４９】
サブバンドアグリゲーション活性化のために、ＣＡにおいて用いられた類似の（すなわち、ＭＡＣ（media access control） ＣＥ（control element）を介した）アプローチが用いられる。サブバンドのサイズも動的に変更される場合、この活性化メッセージは、活性化されたサブバンドのサイズを含むこともできる。ＣＡとは異なり、サブバンドアグリゲーションは、アグリゲーションされたサブバンドに対する無線リソース管理（ＲＲＭ：radio resource management）測定を必要としないことがある。しかしながら、少なくとも１つのサブバンドが（部分的に又は完全に）活性化できる候補サブバンドに対するＣＳＩフィードバックを取得することが必要であり得る。このような意味で、非周期的ワイド（wide）サブバンド要求は構成されたサブバンドに対してトリガされることができる。言い換えると、ＵＥは可能なサブバンドのリストで構成されることができ、ＵＥはワンショット（one-shot）又はアグリゲーションされた測定に基づくことのできる非周期的なＣＳＩ測定を行うように要求される。非周期的なＣＳＩ要求が１つ以上の構成されたサブバンドに対して要求されることができ、非活性化されたサブバンドに対してはサブバンド内の広帯域ＣＳＩ測定（すなわち、全体サブバンドに対する広帯域ＣＱＩ（channel quality indicator）／ＰＭＩ（precoding matrix indicator））のみが報告されることができる。ＵＥ ＲＦがＲＦ再調整／適応なしにＣＳＩ測定をサポートしない場合、追加及び／又は共有（周波数間）測定ギャップが必要であり得る。サブバンドを活性化する前に、広帯域ＣＳＩ報告が一般的に期待されることができ、ＵＥは、ＣＳＩ測定を行うために自分のＲＦを適応させなければならないこともある。従って、非活性化されたサブバンドのＣＳＩも周期的に測定されない限り、一般に、非活性化されたサブバンドに対して報告するための非周期的ＣＳＩトリガリング間の処理時間は、活性化されたサブバンドにおいて非周期的ＣＳＩ処理時間より長いことがある。
【０１５０】
７．データサブバンドの再構成（Reconfiguration of data subband）
【０１５１】
ＵＥがＵＥ ＲＦ帯域幅内で付加的なデータサブバンドで構成されるとき、サブバンド構成によって、その中心周波数（受信機中心）を時々に再調整する必要があり得る。周波数再調整が必要である場合は、十分なギャップが必要であり得る。このようなギャップを許容する１つのアプローチとして、再構成メッセージを搬送するＰＤＳＣＨの最後と次の開始の間の時間がギャップを再調整するために用いられることができる。ＵＥが前記ギャップ内に任意のＵＬでスケジュールされる場合、ＵＥは、再調整のために任意のＵＬを省略することができる。前記ギャップを最小化するために、データサブバンドが動的に変更されるか、ＵＥがデータ受信／送信のために自分のＲＦ帯域幅を変更するように許容される場合、中心周波数を変更しないことが一般的に好ましい。これを間接的に要求するために、リソース割り当てのためのリソースブロックは、常に半静的に構成された１番目のデータサブバンドに基づいて入れ子方式で構成されることができる。例えば、ＵＥは、［Ｍ, ２＊Ｍ, ４＊Ｍ, ８＊Ｍ］ ＰＲＢ間のデータサブバンドサイズで動的に構成されることができ、ここで、Ｍはデータサブバンドの最小サイズである。制御サブバンド変更を最小化するために、制御サブバンドはＭ個のＰＲＢ内に形成されることができる。データサブバンド帯域幅適応にかかわらずリソース割り当てフィールドを損傷しないように（intact）維持するために、ＲＢＧのサイズは増加したデータサブバンドサイズに増加することができる。
【０１５２】
図１５は、本発明の一実施形態によって入れ子方式のリソース割り当ての例を示す。図１５を参照すると、ＵＥは、［Ｍ, ２＊Ｍ, ４＊］ ＰＲＢ間のデータサブバンドのサイズで動的に構成され、ここで、Ｍはデータサブバンドの最小サイズである。これは、可能なパターンとして事前構成されることができ、パターンの１つは動的又は半静的に指示されることができる。動的な指示の場合、どのパターンが用いられるか、又はどのデータサブバンド帯域幅サイズが用いられるかが動的に指示される必要があり得る。ＵＥがＢＷ−Ａ（Ｍ ＰＲＢ）とＢＷ−Ｂ（４＊Ｍ ＰＲＢ）間で動的に構成される場合、ＤＣＩに１つのビットが追加されて、データスケジューリングに現在使用されているサイズを指示することができる。ＵＥが再調整を必要としない場合、瞬間的なＲＦスパニング（spanning）が仮定されることができる。そうでない場合、再調整遅延のための一部のギャップがあると仮定することができる。
【０１５３】
データサブバンドのサイズも半静的に変更されることができる。半静的な変更において、フォールバックメッセージはリソース割り当てのための最小データサブバンド帯域幅に基づいて又はネットワークにより構成されるか、指示されたデフォルトデータサブバンド帯域幅サイズに基づいてスケジュールされることができる。言い換えると、再構成の間、又はフォールバック時にスケジュールされたＤＣＩの間、検索空間はリソース割り当てに対して異なるデータの帯域幅を仮定することができる。例えば、フォールバックシグナリングのためにＢＷ−Ａ（Ｍ ＰＲＢ）の最小サイズを用いることができる。データサブバンドサイズの半静的変化が発生すると、特に帯域幅に基づいたオフセット値（例えば、ＰＵＣＣＨリソースオフセット）で構成されたリソースの場合、半静的リソースの必要な再構成が必要であり得る。また、例えば、広帯域ＣＳＩ−ＲＳの帯域幅が調整される必要があり得る。帯域幅は、動的変更が採択されるとＤＣＩにより決定されることができ、半静的適応は半静的再構成が適用されるときに達成されることができる。再構成が動的又は半静的に完了すると（ＲＢインデクシングが最低周波数から始まる場合）ＲＢインデクシングが変更されることができる。このような意味で、フォールバック動作又は再構成の間、特にデータサブバンドサイズが変更される場合、フォールバックメッセージ（例えば、ＲＲＣ構成メッセージ）をユーザデータと共にスケジュールすることは好ましくない。
【０１５４】
８．ＣＡの取り扱い（CA handling）
【０１５５】
複数の搬送波が存在する場合、ＵＥの観点で、１つのデータサブバンドは、複数の搬送波にわたって又は１つの搬送波内に構成されることができる。また、１つ以上のデータサブバンドは、ＵＥ特定帯域幅で構成されることができる。ＵＬにおいて複数のデータサブバンドが構成される場合、異なるＴＴＩが構成されるか、異なるＲＡＴが構成されるので、ＤＬデータサブバンド及びＵＬデータサブバンドのマッピングが必要であり得る。従って、以下のオプションが考慮される。
【０１５６】
（１）任意のＤＬデータサブバンドがＵＬデータサブバンドにマッピングされることができる。任意のＤＬデータサブバンドに対応する全てのＵＣＩ（uplink control information）が任意のＵＬデータサブバンドで送信されることができる。
【０１５７】
（２）ＵＬデータサブバンドがいくつかのグループに分割される。任意のＤＬデータサブバンドに対応する全てのＵＣＩは任意のＵＬデータサブバンドのＰＵＳＣＨにピギーバック（piggyback）されることができる。ＰＵＣＣＨ送信の場合、ＤＬデータサブバンドもグループ化されることができ、ＤＬデータサブバンドとＵＬデータサブバンド間にそれぞれのグループがマッピングされることができる。
【０１５８】
（３）ＵＬデータサブバンド及びＤＬデータサブバンドはグループ化されることができ、ＤＬデータサブバンドグループはただ１つのＵＬデータサブバンドグループにのみマッピングされる。ＵＣＩピギーバック、ＰＵＣＣＨ送信、ＣＳＩトリガなどが各ＵＬデータサブバンドグループ内において処理されることができる。
【０１５９】
９．ＲＲＭの取り扱い（RRM handling）
【０１６０】
システム帯域幅がＵＥサポート帯域幅より広い場合、ＲＲＭに対して以下の２つのアプローチが考慮される。
【０１６１】
（１）サブバンドアプローチ：ネットワークは１つの広帯域搬送波を構成／動作させ、ＵＥは１つ又は複数のサブバンドをモニターすることができる。
【０１６２】
（２）搬送波アプローチ：ネットワークは複数の狭帯域（narrowband）搬送波を構成し、ＵＥはイントラ帯域ＣＡのように、１つ又は複数の搬送波で構成されることができる。
【０１６３】
サブバンドアプローチを考慮すると、ＵＥがＤＬをモニターするように構成されたそれぞれのサブバンドにおいて以下の態様が明確にならなければならない。
【０１６４】
−ＣＳＳがそれぞれのサブバンド別に個別に構成されるか否か
【０１６５】
−各サブバンド別に同期信号が送信されるか否か
【０１６６】
−それぞれのサブバンド別に測定ＲＳが送信されるか否か
【０１６７】
−追跡（tracking）ＲＳが各サブバンド別に個別に送信されるか否か
【０１６８】
−ＰＢＣＨ及び／又はＳＩＢが各サブバンド別に個別に送信されるか否か
【０１６９】
−ＲＡＣＨ手順が各サブバンドにおいて発生できるか否か
【０１７０】
−リソース割り当てがサブバンド内に制限されるか否か
【０１７１】
サブバンドアプローチが考慮されるとき、以下のように、３つのオプションがＳＳブロック送信のために考慮される。
【０１７２】
（１）各サブバンドはＳＳブロックを伝達することができ、任意のＳＳブロックは独立型（stand-alone）ＵＥにより接続されることができる。
【０１７３】
（２）アンカーサブバンドのみがＳＳブロックを搬送することができる。複数の搬送波にわたって１つのアンカーサブバンドが存在し、すなわち、１つの搬送波がＳＳブロックを搬送することはできない。
【０１７４】
（３）各データサブバンドがＳＳブロックを搬送することができるか否かは構成に基づく。ＵＥの時間／周波数同期化の観点で、ＵＥは、他のＳＳブロックにハンドオーバーされるまで、初期接続のＳＳブロックが基準のために利用できると仮定することができる。
【０１７５】
オプション１が用いられる場合、特に同期信号周期のために小さい間隔が用いられる場合、ＳＳブロック送信オーバーヘッドが追加されることができる。また、異なるＵＥが異なるＳＳブロックを接続することができるので、ＰＢＣＨ及び／又はＳＩＢに関する一部情報はそれぞれのサブバンド別に異なる必要があり得る。例えば、システム帯域幅の中心周波数及びＳＳブロックの中心周波数のオフセットが指示される場合、その値は各サブバンド別に異なることがある。オプション１は、多少の負担を加重させるが、特に隣接セル測定のためのＵＥ測定を単純化することができる。
【０１７６】
オプション２が用いられる場合、アンカーサブバンドとは異なるサブバンドにあるＵＥに対するＲＲＭ測定をサポートするために、セル検出及び測定のための追加信号を送信する必要がある。しかしながら、オプション１と比較して、ＳＳブロック送信の他の周波数又は追加送信が考慮（例えば、稀少(sparser)送信）される。異なるサブバンド又はアンカーサブバンドに構成されたＣＳＳをモニターできないサブバンドにＵＥがある場合、サブバンドアプローチが用いられると、ＣＳＳが追加に構成されることができる。
【０１７７】
前述したオプションがサブバンドアプローチに適用されると説明される。しかしながら、３つのオプションが搬送波アプローチにも適用されることができる。搬送波アプローチを用いても、アンカー搬送波のみが初期接続のためにＳＳブロックを搬送することができ、他の搬送波はサブバンドアプローチと類似の追加シグナリングを送信することができる。
【０１７８】
サブバンドアプローチが用いられる場合、サブバンドの帯域幅より大きい帯域幅をサポートするＵＥを効率的に処理することができる。このようなＵＥに対して、複数のサブバンドが構成されることができ、１つのＴＢが１つのＴＢにマッピングされることができる。
【０１７９】
ＵＥがより広い帯域幅をサポートするために複数のＲＦを備えるとき、サブバンドアプローチ及び搬送波アプローチが両方とも考慮される。ＬＴＥにおいて、このような場合がイントラ帯域ＣＡによりサポートされた。前述したように、それぞれのサブバンドは、必要な同期化及びＲＲＭ ＲＳ、及び可能であればＰＢＣＨ／ＳＩＢ送信を伝達することができる。このような意味で、サブバンド又は搬送波アプローチにより、以下をサポートすることにより類似のオーバーヘッドが予想できる。
【０１８０】
−広帯域ネットワーク動作の観点で、ネットワークは、初期接続のためのＳＳブロックが送信されるアンカーサブバンド／搬送波を定義することができる。他のサブバンドにおいて、送信を必要とするＵＥがある場合、追加的な信号が測定のために送信されることができる。
【０１８１】
−ＵＥの観点で、ネットワークがサブバンドアプローチ又は搬送波アプローチを用いるか否かに関係なく、ＵＥは、１つ又は複数のデータサブバンドで構成されることができる。ネットワークが初期接続オーバーヘッドを最小化するために、少なくともネットワークがアンカー搬送波及び補助搬送波により様々な搬送波を管理するか、ネットワークが異なる周波数において異なるヌメロロジーで動作する場合には、効率的であり得る。
【０１８２】
図１６は、本発明の一実施形態による狭帯域ＵＥ ＲＦを有する広帯域スペクトルに対する異なる取り扱いオプションの例を示す。図１６において、便宜上、ネットワークにより（又は、ネットワークの観点から）定義された要素搬送波はＮ−搬送波と呼ばれる。また、ＵＥにより（又は、ＵＥの観点から）定義された要素搬送波はＵ−搬送波と呼ばれる。図１６−（ａ）は、単一広帯域を介した多重ＲＦに対するＮ−搬送波とＵ−搬送波間のマッピングを示す。図１６−（ｂ）は、複数の狭帯域を介した多重ＲＦに対するＮ−搬送波とＵ−搬送波間のマッピングを示す。
【０１８３】
１０．複数のＲＦを有する単一のデータサブバンドマッピング（Single data subband mapping with multiple RF）
【０１８４】
前述したように、１つのデータサブバンドは、単一又は複数のＵＥ ＲＦ帯域幅にわたるように構成されることができる。ＵＥが複数のＲＦを有するので、位相連続性及び／又は電力増幅器に関するいくつかのイシューを明確にする必要がある。ＵＥが実際のＲＦに関係なく位相連続性を有するデータの受信をサポートできる場合、ＵＥは、自分の能力を指示することができる。能力の側面で、ＵＥが複数のＲＦを介して広帯域をサポートすることができるか否かが指示されることができる。ベースバンド能力はこのような動作をサポートしない可能性がある。この場合、ＵＥは、それぞれのＲＦが特定帯域幅をサポートし、複数のＲＦが複数の狭帯域をサポートすることができ、それぞれの狭帯域が１つのＲＦによりサポートされることを通知する必要があり得る。これは、ＵＥの観点からＣＡと類似する。ＵＬの場合、いくつかの考慮事項を解決しなければならない。
【０１８５】
（１）ＵＥがＤＦＴ拡散ＯＦＤＭ（ＤＦＴ−ｓ−ＯＦＤＭ）で構成される場合、ＵＥがＲＦ毎に個別に拡散を行う必要があるので、ＵＥは多重ＤＦＴ−ｓ−ＯＦＤＭをサポートできるか否かを同時に示すことができる。別途のＲＦの場合には、潜在的なＤＣに対する別途の処理が必要であり、ＵＥは各ＲＦに対して潜在的なＤＣのセットを示すことができる。あるいは、ＵＥは、複数のＲＦを考慮して潜在的な複数のＤＣを示すことができる。ＵＥが同時のＵＬ送信をサポートする場合、ネットワークは、１つ又は複数のＲＦを介して処理できる複数のＵＬリソース領域にわたって１つ又は複数のＴＢをスケジュールすることができる。１つのＲＦを介して送信されたＲＢのセットは、ネットワーク又は他のＵＥに（例えば、サイドリンク動作で）通知される必要があり得る。これは、チャネル推定又はＰＲＢバンドリングが仮定され、ＰＲＢバンドリングがＲＦ境界を越えない場合に特に必要であり得る。
【０１８６】
（２）ＵＥが２つのＲＦ間に別途の電力増幅器を備えると、２つのＲＦ間の電力分割が必要であり、これはネットワークにより独立的に構成／指示されることができる。ネットワークが複数のＲＦ送信に対して１つのＴＢをスケジュールすると、以下のアプローチが考慮される。
【０１８７】
−電力制御のパラメータは、ＲＦに共通に適用されることができ、各電力増幅器又はＲＦに割り当てられた電力は、ＲＦ帯域幅内に割り当てられたＲＢ又はＲＦによりカバーされるＲＢを有する共通電力パラメータにより決定される。電力制限がある場合、ＵＣＩタイプなどの優先順位によって電力スケーリング又は省略が発生する可能性がある。
【０１８８】
−電力制御のパラメータは、個別に構成されることができ、それぞれの電力増幅器又はＲＦに割り当てられた電力は、ＲＦ帯域幅内で割り当てられたＲＢで独立的に構成されたパラメータにより決定される。このアプローチは、個別ＵＬ送信がネットワークにより構成され、電力制御がＲＦ毎に独立的に行われる場合、さらに適合する。これをサポートするために、１つのＤＣＩ又は１つのＵＬ承認は、異なるＰＲＢ間に異なるＴＢを指示することができる。ＤＭ−ＲＳの個別構成も考慮することができる。別途の電源制御を用いる場合、別途のＴＰＣ命令も必要になることがある。
【０１８９】
（３）制御チャネルモニタリング（Control channel monitoring）
【０１９０】
良好なチャネル推定のために、１つの制御リソースセットが１つのＲＦ帯域幅内に制限されることができる。また、複数の制御リソースセットが複数のＲＦに対して構成されることができる。制御リソースセットが複数のＲＦにマッピングされるように許容されても、少なくとも１つの制御リソースセット又は共通検索空間に対する制御リソースセットがプライマリＲＦ帯域幅内に制限されることができる。これは、プライマリＲＦ以外のＲＦの活性化／非活性化に関係なく制御モニタリングサブフレームの曖昧さを最小化するためである。制御リソースセットが様々なＲＦにわたっている場合、検索空間を構成して少なくとも一部の候補をプライマリＲＦ帯域幅内に配置することができる。これは、例えば、異なるＲＦを介して（論理的に）隣接するＣＣＥを分散しないことにより行われる。言い換えると、ＣＣＥが分散する場合、１つのＲＦ帯域幅内で分散されることがある。共通検索空間又はグループ共通検索空間は、異なるＲＦ帯域幅をサポートできる複数のＵＥにより共有されるので、各ＵＥがどのように接続できるか、又は検索空間がどのように構成されるかを明確にする必要がある。以下のアプローチを考慮することができる。
【０１９１】
−グループ共通検索空間は、同一の検索空間を共有するＵＥのうち最小のＲＦ内に構成されることができる。ＵＳＳとＣ／ＧＳＳが同一の制御リソースセットを共有すると、一部の帯域幅のみがＵＳＳとＣ／ＧＳＳ間に共有されることができる。これをサポートするために、制御リソースセットは固定及び可変リソースセットに仮想的に分割され、ＣＣＥは固定リソースセットと可変リソースセットの間に独立的にマッピングされることができ、異なる送信方式が２つの異なるリソース領域間で考慮されることができる。代わりに、ＣＣＥは最小のＲＦ帯域幅領域内で最初のＭ個のＣＣＥのみがマッピングされ、ここで、Ｃ／ＧＳＳに対して候補のセットが制限される方式でマッピングできるのに対して、ＵＳＳは全体制御リソースセットにマッピングできる。
【０１９２】
−グループ共通検索空間は、仕様又は構成により定義された名目上の（nominal）ＲＦ内で構成されることができ、名目上のＲＦより少ない帯域幅をサポートするＵＥは、一部の検索空間候補に接続できないか、制限を有する。
【０１９３】
−分離されたグループ共通検索空間は異なる帯域幅のＵＥ別に構成されることができる。同一の探索空間を共有するＵＥは、少なくとも制御モニタリング観点から同一のＲＦ帯域幅能力を有することができる。
【０１９４】
（４）データマッピング（Data mapping）
【０１９５】
１つのＴＢが複数のＲＦ帯域幅にマッピングされることができる。しかしながら、２つの異なるＴＢ又は多重ＴＢをスケジュールできる１つのＤＣＩが複数のＲＦを介して送信されることができる。すなわち、１つのＤＣＩが異なるＲＦで異なる帯域幅に対して別途のリソース割り当てをスケジュールすることができる。代わりに、単一ＲＦ帯域幅に基づいてリソース割り当てが行われることができ、同一のリソース割り当てが他のＲＦにも適用できる。例えば、リソース割り当てが１つのＲＦに対してＰＲＢ１ないし１５をスケジュールする場合、ＲＦ内のＰＲＢがＵＥに割り当てられると仮定することができる。異なるＲＦに同一のリソース割り当てを適用するように構成された場合、それぞれのＲＦに対してＰＲＢ１ないし１５もＵＥに割り当てられると仮定することができる。これをサポートするために、各ＤＣＩはＮビットを伝達することができる。Ｎは、活性化されたプライマリＲＦを除いたＲＦの数である。また、同一のリソース割り当てが適用されるか否かはビットマップを介して指示されることができる。
【０１９６】
代わりに、リソース割り当ては、複数のＲＦによりアグリゲーションされた帯域幅に基づいて行われる。この場合、共通検索空間又はグループ共通検索空間によるリソース割り当ては、プライマリＲＦによりカバーされる帯域幅内に制限されることができる。単一ＲＦでも帯域幅適応の場合に類似した制限が適用されることができる。この場合、ＣＳＳは最小帯域幅に制限されることができ、曖昧さを避けるためにＣＳＳによるリソース割り当てが構成された帯域幅又は最小帯域幅に制限されることができる。すなわち、各検索空間の帯域幅が異なることがある。また、各検索空間又は制御リソースセット毎に異なる帯域幅が構成されることもできる。オーバーヘッドを最小化するために、コンパクトなリソース割り当てが連続的リソース割り当てのために用いられるか、構成されたＲＦ又はアグリゲーションされた帯域幅によって異なるＲＢＧが考慮されることができる。言い換えると、システム帯域幅が全てのＵＥに対して同一であっても、各ＵＥによりサポートされる帯域幅に応じて、ＲＢＧのサイズが異なることがあり、異なる帯域幅間のＲＢＧのサイズも異なる複数の値であり得る（例えば、ＲＢＧのサイズは、５ＭＨｚである場合は２つのＰＲＢ、１０ＭＨｚである場合は４つのＰＲＢであり、２０ＭＨｚである場合は８つのＰＲＢである）。
【０１９７】
（５）ＰＵＣＣＨ送信（PUCCH transmission）
【０１９８】
ＰＵＣＣＨに対する分散マッピングがサポートされる場合、ＰＵＣＣＨ送信は、ＵＥによりサポートされるアグリゲーションされた帯域幅に関係なく１つのＲＦ内に限定されることができる。これは、ＤＦＴ−ｓ−ＯＦＤＭが用いられる場合、主に有用である。しかしながら、ＯＦＤＭの場合も、これは電力制御などに有利であり得る。言い換えると、ＰＵＣＣＨリソースは、各ＵＥからのＲＦ情報に基づいて異なるように構成されることができる。ＰＵＣＣＨがプライマリＲＦを介してのみ送信される場合、ＰＵＣＣＨリソース構成は、プライマリＲＦ帯域幅内に制限されることができる。代わりに、ＰＵＣＣＨリソースマッピングは、複数のＲＦにわたって発生することがあり、低いＰＡＰＲ（peak-to-average power ratio）を有する長いＰＵＣＣＨが容易にサポートされないか、同時送信能力が必要であり得る。また、ＵＥは、ネットワークに指示できる異なるＲＦを介してＤＦＴ−ｓ−ＯＦＤＭ及びＯＦＤＭを同時にサポートすることができる。これは、異なるｇＮＢ又は送信／受信ポイント（ＴＲＰ：transmission/reception points）への同時のＵＬ送信がサポートされ、１つがカバレッジを要求することができ、他の１つが効率的な多重化を必要とする場合に効率的であり得る。ＵＥが２つの波形の同時送信をサポートしない場合、１つの波形が半静的又は動的に構成されることができる。長いＰＵＣＣＨと短いＰＵＣＣＨが用いられた波形に関係なく同時に送信されることができる。異なるＲＦ間にクロスＵＣＩピギーバックがサポートされることもできる。
【０１９９】
（６）ＰＲＡＣＨ送信（PRACH transmission）
【０２００】
多重ＲＦ受信は、ＵＥ特定上位層シグナリングにより利用できることがある。言い換えると、多重ＲＦ受信は、ＵＥがＲＲＣ接続状態にあるときに活性化される。ＲＲＣ接続状態以前にも複数のＲＦが利用可能であると、ＵＥは、シームレス（seamless）／トランスペアレント（transparent）送信／受信をサポートしなければならない。この場合、ＰＲＡＣＨリソースは、全てのＵＥが単一ＲＦでＰＲＡＣＨを送信できるようにＵＥの最小帯域幅内に制限されることができる。または、異なるＰＲＡＣＨリソースが異なるＰＲＡＣＨ帯域幅で構成されることができる。
【０２０１】
（７）ＣＱＩ送信（CQI transmission）
【０２０２】
サブバンド分割は、アグリゲーションされた広帯域の帯域幅に基づいて構成されることができる。単一広帯域ＣＱＩは、広帯域を介して指示されることができる。しかしながら、部分的な広帯域ＣＱＩも構成／送信されることができ、これは、単一ＲＦによりカバーされるＲＢに対して平均化する。これは、他のＲＦが異なるヌメロロジーをサポートする場合に特に有用である。
【０２０３】
（８）帯域幅適応（Bandwidth adaptation）
【０２０４】
帯域幅適応が達成され、アグリゲーションされた帯域幅が単一ＲＦによりカバーされる最大帯域幅より小さい場合、ＵＥは、プライマリＲＦ以外の他のＲＦを非活性化することができる。ＵＥ ＲＦに関する知識に基づいて、帯域幅適応の側面で、ネットワークは、必要なＲＦ数と意図された中心周波数を示すことができる。すなわち、帯域幅適応が適用されるとき、まず、ＵＥは、セカンダリＲＦを用いて活性化又は非活性化されることができる（第３又は第４ＲＦを活性化／非活性化することも可能であり得る）。活性化／非活性化の側面で、ＤＣＩ又は別途のシグナリングによるＭＡＣ ＣＥ及び／又はＲＲＣ及び／又は動的信号が用いられることができる。さらに他のアプローチは、これをＵＥの実装に任せて、ＲＦ手順の明示的な活性化／非活性化をサポートしないことである。モニタリング帯域幅に応じて、ＵＥは、一部のＲＦをオフ又はオンすることができる。この場合、帯域幅に関するＵＥ能力シグナリングによって、ネットワークは、ＵＥがサポートすることができるか、又は構成されることができる帯域幅を決定することができる。
【０２０５】
ＵＥのＲＦレイアウトの詳細を知らない場合も帯域幅適応が発生することできる。この場合、帯域幅適応のために再調整及び活性化／非活性化を含む最大ＲＦスイッチング遅延を考慮すべきである。一般に、帯域幅活性化にＲＦ活性化が必要である場合、それはコード開始（code-start）を含むことができ、これは、数ミリ秒以上が必要であり得る。このような意味で、ネットワークは、ＲＦを非活性化するか否かを知っているか、明示的に指示することが好ましい。動的適応が用いられる場合、ＵＥは、ＲＦをオン又はオフにしないことができる。代わりに、ＵＥがＲＦを増加させるためにＲＦをオンにすると、ＵＥは、活性化の間に一部のデータ受信を省略することができる。代わりに、帯域幅適応が指示されるとき、ＵＥは、動作をサポートするために要求される遅延と共に応答することができる。ＵＥがＤＲＸ（discontinuous reception）周期にない限り、プライマリＲＦはいつでもオフにされないことができる。
【０２０６】
帯域幅を減少させるために、１つ以上のＲＦが非活性化されることができる。これは、ＲＲＣ又はＭＡＣ ＣＥ又は動的シグナリングを介して行われることができる。帯域幅の追加的な減少は、プライマリＲＦ内で行われることができる。言い換えると、ＲＦ内におけるより小さい帯域幅適応は、プライマリＲＦ内でのみ発生することができる。この手順は、１つ又は複数のＲＦを有するＵＥ間に共通であり得る。帯域幅が増加すると、最初は帯域幅がプライマリＲＦ内で増加する。追加的な増加が必要である場合、１つ以上のＲＦの活性化が考慮されることがある。１つ以上のＲＦを活性化するとき、ＵＥは、各ＲＦによりモニターされる帯域幅で構成されることができ、これは、ＵＥ ＲＦ帯域幅と同一であるか、又は小さいことがある。例えば、セカンダリＲＦが２００ＭＨｚをサポートする場合、ＵＥは、データモニタリングのために１００ＭＨｚのみで構成されることができる。プライマリＲＦ内の増加／減少は、動的信号により行われるのに対して、追加的なＲＦの増加／減少は、ＭＡＣ ＣＥ／ＲＲＣ信号により行われることができる。
【０２０７】
（９）ＨＡＲＱバッファは異なるＲＦ間に共有されることができる。
【０２０８】
（１０）ＲＲＭ測定（RRM measurement）
【０２０９】
別途の言及／構成がない限り、ＲＲＭ測定は、広帯域搬送波に対して構成されたリソースに対して１回発生することがある。代わりに、ＲＲＭ測定は、それぞれのＲＦに対して発生することができ、それぞれのＲＦ毎に異なる周波数領域が構成されることができる。様々なＲＦに対する広帯域測定も考慮することができ、様々なＲＦにわたってアグリゲーションされた／平均のＲＲＭ測定が報告されるか、個別のＲＲＭ測定がＲＦ別に報告されることができる。
【０２１０】
代わりに、ＲＲＭは、プライマリＲＦでのみサポートされることができる。プライマリＲＦは、サービングセルにおいてＲＲＭ測定を行うことができ、セカンダリ／複数のＲＦは、インター周波数測定のために用いられることができる。サービングセル測定又はイントラ周波数測定のための接続された測定の場合、プライマリＲＦに対してのみ周波数領域が用いられることができ、測定帯域幅はプライマリＲＦ帯域幅と同一か、又はより小さく構成されることができる。
【０２１１】
（１１）フォールバック（Fallback）
【０２１２】
ＲＦが活性化又は非活性化され、活性化又は非活性化の間に１つのＴＢが複数のＲＦにマッピングできる場合、ＵＥがいつ準備されるか又は活性化を終了するかをネットワークが知っていないため、曖昧さが発生することがある。この場合、複数のＲＦが用いられると、プライマリＲＦが割り当てられることができ、ＣＳＳ又はグループ共通ＳＳによるスケジューリングのための帯域幅がプライマリＲＦによりサポートされる帯域幅内に適合することができる。プライマリＲＦ帯域幅が変更される場合、変更されないと推定される最小帯域幅がＣＳＳスケジューリングに対して用いられることができる。例えば、ＵＥは、それぞれ１００ＭＨｚを有する２つのＲＦを備え、１つのＲＦがプライマリＲＦとして定義されることができる。この場合、該当ＵＥに対してＣＳＳを介したリソース割り当て帯域幅は１００ＭＨｚ以下であり得る。すなわち、少なくとも１つのＲＦが常に活性化され、フォールバック（fallback）帯域幅はプライマリＲＦ帯域幅より小さいか同一であり得る。ＤＲＸの以後、１つのＲＦのみが活性化され、Ｏｎ_ｄｕｒａｔｉｏｎの間に制御に対するモニタリングは１つのＲＦの帯域幅に制限されることができる。ネットワーク指示によりＲＦ活性化／非活性化が行われると、各ＲＦがモニターする帯域幅／ＰＲＢが指示されることができる。また、プライマリＲＦ及び自分のモニタリングＰＲＢがネゴシエートされるかまたはネットワークに通知されることにより、ネットワークがプライマリＲＦの全てのＰＲＢに対する調整を行わないことができる。または、フォールバックメッセージがプライマリＲＦ帯域幅に伝達されることができる。
【０２１３】
（１２）追跡（Tracking）
【０２１４】
追跡ＲＳは、ＵＥにより用いられる複数のＲＦをカバーすることができる。追跡ＲＳがサブバンドに送信される場合、複数のサブバンド送信がＲＳ送信を追跡するために用いられることができるため、それぞれのＲＦはそれぞれのモニターされたサブバンドから追跡ＲＳを取得することができる。しかしながら、異なる周期／サブバンドにおいてＲＳ送信を追跡するために異なる周期及び／又は時間／周波数リソースが用いられることができる。
【０２１５】
（１３）無線リンク障害（ＲＬＦ：radio link failure）
【０２１６】
ＲＬＦは、複数のＲＦによりサポートされる全帯域幅に基づいて行われることができる。または、ＲＬＦは、プライマリＲＦにのみ基づいて行われることができる。ＲＬＦは、制御リソースセットのために構成された帯域幅内でのみ行われることができる。複数の制御リソースセットが１つのＵＥに対して構成されると、共通検索空間又はグループ共通検索空間がモニターされるリソースセットがＲＬＦ測定のために用いられることができる。制御リソースセット内の部分帯域幅のみがＣ／ＧＳＳのために用いられると、ＲＬＦは、Ｃ／ＧＳＳ候補がマッピングできるそのようなＰＲＢにさらに制限されることができる。
【０２１７】
前述した各機能の異なるオプションは、上位層を介してネットワークにより構成されることができる。また、単一搬送波と多重搬送波との間で異なるメカニズムが、それぞれＤＬとＵＬとの間に考慮されることができる。すなわち、ＵＥは、それぞれＤＬ及びＵＬに対して異なるＲＦ帯域幅をサポートすることができるか、又はＵＥがＤＬ及びＵＬに対して均一なＲＦ帯域幅をサポートする場合も、ネットワークがＤＬとＵＬ間にシステム帯域幅を異なるように維持するため、構成が異なる。
【０２１８】
１１．エミッションの取り扱い（Emission handling）
【０２１９】
ＵＬ送信が複数のＲＦを通じてスケジュールされるとき、必要なエミッションを考慮すべきである。ＵＥが構成されたＲＢにおいて送信を行う場合、隣接チャネル選択度（ＡＣＳ：adjacent channel selectivity）、イントラ帯域エミッション及び、帯域外エミッションを有することができる。このようなイシューは、帯域幅適応又はＵＥ能力によるシステム帯域幅より小さい帯域幅を有する単一ＲＦ及び１つのスケジューリングが２つ以上のＲＦにわたることのできる複数のＲＦで発生することがある。
【０２２０】
（１）ケース１：小さい帯域幅の送信
【０２２１】
図１７は、小さい帯域幅の送信の場合の干渉の例を示す。図１７を参照すると、異なる帯域幅は、異なるＵＥがシステム帯域幅内で帯域幅の異なる部分を用いる場合、他のＵＥからのエミッションから高い干渉を導くことができる。
【０２２２】
このようなイシューを解決するために以下のメカニズムが考慮される。
【０２２３】
−ネットワークスケジューリングに基づく：ネットワークは、２つのＵＥ間のガード帯域を生成するようにスケジュールされないことがある。例えば、ＵＥ２は、ＵＥ１からの高い干渉が予想されるＰＲＢでスケジュールされないことがある。ＲＢレベル又はＲＢＧレベル指示がサポートされると、スケジューリング指示で十分であり得る。隣接するリソース割り当てが用いられると、明示的なデータレートマッチングが指示されることができる。
【０２２４】
明示的なレートマッチングのために、多様なアプローチが考慮される。まず、送信帯域幅の各側面でＫ ＭＨｚのガード帯域のサイズを仮定すると、１つ又は両方に対するレートマッチングが指示されることができる。このメカニズムは、ガード帯域を考慮したことより多くのＲＢをスケジュールして送信機側でガード帯域を生成する。代わりに、送信帯域幅内で暗示的ガード帯域を仮定するか否かは、半静的に構成されることができる。ガード帯域を生成する動的指示の代わりに、さらに他の例は、割り当てられた送信帯域幅内で常にガード帯域を生成することである。このアプローチは、他のＵＥによる隣接するＰＲＢ送信がなくても、用いられないリソースを不要に導くことがある。また、ＵＥがシステム帯域幅をサポートすると、不要なガード帯域を追加に生成することがある。このような場合を避けるために、システム帯域幅は、ＵＬ送信のためのガード帯域がないと仮定して、全体搬送波帯域幅にマッピングされることができ、ガード帯域は、ＵＥ能力によって暗示的に生成されることができる。データの受信に成功するために、ネットワークは、ＵＥに必要なガード帯域を知っている必要がある。代わりに、ガード帯域は、１つ以上のＲＢがレートマッチングされると指示することにより明示的に指示されることができる。このようなメカニズムにより、ＵＥは、１つ以上のＲＢに対してこれらが予約されたリソースであるかのようにレートマッチングを行うことができる。
【０２２５】
−それぞれのサブバンド別にガード帯域が構成されることができる。ＵＬ帯域幅がサブバンドのセットに分割されると仮定する場合、ガード帯域がそれぞれのサブバンド別に構成されることができ、ＵＥは、構成された帯域幅に関係なくこれらのガード帯域上でデータマッピングを仮定しないことができる。このアプローチの欠点は、構成された帯域幅に応じて必要なガード帯域が異なる可能性があるので、実際の送信帯域幅に応じて構成されたガード帯域が十分である場合も、又は十分でない場合もあるということである。
【０２２６】
−変調及び符号化方式（ＭＣＳ：modulation and coding scheme）で別途の領域を構成することにより、異なるＭＣＳを異なる領域に構成することができる。１つのアプローチは、他のＵＥにより干渉できるＰＲＢにマッピングされるデータとして、より低いＭＣＳ又はより高い電力でデータをマッピングすることである。すなわち、異なるＭＣＳが異なるＰＲＢで構成できるか、異なる電力がスケジューリングにより異なるＰＲＢで構成できる。
【０２２７】
ＰＲＡＣＨ送信又はＰＵＣＣＨ送信は、ＵＥのガード帯域により影響を受けてはならない。１つのアプローチは、ガード帯域がマッピングされないＰＲＡＣＨ、ＰＵＣＣＨリソースを構成することである。例えば、ネットワークがシステム帯域幅をサブバンドのセットに分割し、ＵＥのＲＦ帯域幅が１つ又は複数のサブバンドである場合、サブバンドの境界周囲にガード帯域が生成されることができる。従って、ＰＲＡＣＨ及びＰＵＣＣＨリソースは、サブバンドにおいて、すなわち、他のＵＥの潜在的ガード帯域からの影響を回避するために、サブバンド境界を通過しないように構成されることができる。ＰＲＡＣＨ／ＰＵＣＣＨリソース構成の観点で、各サブバンド別にオフセットが与えられる。言い換えると、｛サブバンドインデックス、サブバンドのオフセット｝の構成が与えられる。周波数ホッピングを許容するためにＰＵＣＣＨに対して２対のリソースが必要である場合、｛サブバンドインデックス、オフセット｝の２つのセットが与えられ、オフセットは、低いサブバンドインデックスに対しては最低周波数から、高いサブバンドインデックスに対しては最高周波数から適用されることができる。
【０２２８】
（２）ケース２：複数のＲＦ
【０２２９】
図１８は、複数のＲＦの場合の干渉の例を示す。すなわち、単一ＲＦによりサポートされる帯域幅より大きい帯域幅がスケジュールされると、同一のＵＥ内の他のＲＦにより干渉が起こることができる。
【０２３０】
このようなイシューを解決するために、以下のメカニズムが考慮される。
【０２３１】
−ＴＢは、１つ以上のＲＦ帯域幅より大きい帯域幅を介してマッピングされることはできない。すなわち、単一ＲＦ帯域幅より大きい帯域幅を用いるためには、与えられたＵＥに対して２つ以上のＴＢが用いられることができる。
【０２３２】
−ＵＥは、必要なガード帯域においてデータがレートマッチングされるか、又はパンクチャーリングされると仮定することができる。必要なガード帯域は、仕様で規定されるか、ＵＥによりシグナリングされることができる。言い換えると、送信に用いられる有効ＲＢは、必要なガード帯域を除いて制限される。ＵＥがガード帯域を動的に変更する場合、ＵＥは、ＰＵＳＣＨ送信において用いられたガード帯域を指示することができる。代わりに、ネットワークは、データ送信に使用可能なガード帯域を指示することができる。
【０２３３】
− ＰＲＡＣＨとＰＵＣＣＨに関して仮定又はレートマッチングが困難であるため、ＰＲＡＣＨ及び／又はＰＵＣＣＨが同時に複数のＲＦを介してスケジュールされないことがある。これは、ＰＵＣＣＨが１つのスロットにおいて１つのＲＦで送信されることが可能である反面、他のスロットにおいて他のＲＦで送信されて、周波数ホッピングを実現することができる。ＰＲＡＣＨ又はＰＵＣＣＨが前述したようにサブバンド内で構成されると、これは、サブバンド構成と整列されるＵＥ帯域幅を制限することにより回避することができる。
【０２３４】
サブバンド構成が与えられ、アップリンク帯域幅が１つ以上のサブバンドで構成されると仮定する場合、各サブバンドの中心は、明示的シグナリングなしに潜在的なＤＣ搬送波であり得る。このような中心において、ＤＭ−ＲＳはマッピングされないことがある。ＤＦＴ−ｓ−ＯＦＤＭ送信に対する影響を最小化するために、ＤＣは、常に各サブバンドの最初の又は最後の副搬送波であり得る。
【０２３５】
前述した単一ＲＦの場合に対する技法は、複数のＲＦの場合に適用される。
【０２３６】
１２．異なる最大ＲＦ帯域幅ＵＥの取り扱い
【０２３７】
複数のＲＦが用いられ、ネットワークが広いシステム帯域幅を用いる場合、ＵＥ ＲＦ帯域幅に対して以下のオプションが考慮される。
【０２３８】
（１）ＵＥ ＲＦ帯域幅は固定されることができる。例えば、ＲＦの最大帯域幅より広い帯域幅をサポートするために、複数のＲＦをサポートするＵＥ ＲＦ帯域幅は１００ＭＨｚであり得る。
【０２３９】
（２）ＵＥ ＲＦ帯域幅は、１つ以上の候補値、例えば、｛５０ＭＨｚ、１００ＭＨｚ、２００ＭＨｚ｝を有する。例えば、ＵＥ能力によって４００ＭＨｚのシステム帯域幅をサポートするために、一部のＵＥは８つのＲＦを要求することができ、一部のＵＥは４つのＲＦを要求することができ、一部の他のＵＥは２つのＲＦを要求することができる。しかしながら、連続的な広帯域をサポートするＲＦ帯域幅は、ＵＥの観点から共通であり得る。
【０２４０】
（３）ＵＥ ＲＦ帯域幅は、１つ以上の候補値、例えば、｛５０ＭＨｚ、１００ＭＨｚ、２００ＭＨｚ｝を有し、各ＵＥは、異なる帯域幅がサポートされる複数のＲＦを備える。例えば、ＵＥは、５０ＭＨｚ＊２ ＲＦ及び１００ＭＨｚ＊１ ＲＦ及び２００ＭＨｚ＊１ ＲＦをサポートすることができる。
【０２４１】
どのオプションが考慮されるかに関係なく、より良い管理のために、候補ＲＦ帯域幅は入れ子（nested）方式で、例えば、｛Ｍ ＭＨｚ、Ｍ＊２ ＭＨｚ、Ｍ＊４ ＭＨｚ．．.｝で構成されることができる。このアイディアは、最小システム帯域幅サブバンドを構成し、複数の最小システム帯域幅サブバンドをアグリゲーションさせることにより、異なるＵＥ ＲＦ帯域幅をサポートすることである。
【０２４２】
異なるＲＦ帯域幅ＵＥを処理するために、以下のアプローチが考慮される。
【０２４３】
（１）全てのＵＥが同一の優先順位で処理されて、全ての構成が最小ＵＥ帯域幅に基づくことができる。これは、ＲＲＭ測定要求、共通又はグループ共通検索空間、隣接セル測定、ＲＬＦなどに適用されることができる。このオプションが用いられると、最小帯域幅より大きい帯域幅をサポートするＵＥは、ＲＲＭ測定帯域幅及び／又は他の構成を再構成して、最小帯域幅ＵＥに比べてより優れた性能を達成することができる。
【０２４４】
（２）帯域幅が異なるＵＥは、異なるように取り扱われることができる。例えば、ＲＲＭ測定要求事項は、ＵＥサポート帯域幅によって異なることがある。例えば、ＲＲＭ測定区間又はＲＲＭ測定を報告するのに必要な期間は、サポートされる帯域幅に応じて緩和される。全体ＲＲＭ測定要求事項は、名目上の帯域幅に基づく。
【０２４５】
（３）個別の帯域幅又はサブバンドが割り当てられることができ、同一のＲＦ帯域幅のみを有するＵＥに１つのサブバンドが割り当てられることができる。
【０２４６】
（４）可能なＵＥ ＲＦ帯域幅に基づいて異なるサブバンドが構成されるオーバーレイ構造が構成されることができる。ＵＥは、ＲＦ帯域幅に基づいて１つのサブバンドを割り当てられることができる。
【０２４７】
図１９は、本発明の一実施形態によるオーバーレイ構造の一例を示す。図１９を参照すると、システム帯域幅は、異なる帯域幅サブバンドに分割され、それぞれのＵＥは、｛帯域幅クラス、サブバンドインデックス｝で構成されることができる。帯域幅クラスは、ＵＥに構成された帯域幅を意味する。例えば、ＵＥがＭＭＨｚ帯域幅をサポートしても、より小さい帯域幅の帯域幅適応をサポートするために、Ｍ／２又はＭ／４又はＭ／８などで構成されることができる。言い換えると、帯域幅適応は、帯域幅クラス又はサポートされる帯域幅に基づいて発生することがある。一旦帯域幅クラスが定義されると、割り当てられた帯域幅クラスによるサブバンドが構成されることができ、ＵＥは、制御及び／又はデータ及び／又はＲＲＭ及び／又はＲＬＦ測定を受信することを期待することができる。リソース割り当てはまた、該当サブバンド内で行われることができる。動的帯域幅適応が達成できる場合、リソース割り当てはまた、｛帯域幅クラス、サブバンドインデックス｝を含むことができる。曖昧さを最小化するために、１つのアプローチは、多重帯域幅クラス及びサブバンドインデックスにマッピングできる複数のエントリーを許容することである。例えば、ＵＥ帯域幅候補がＭ、Ｍ／２、Ｍ／４、Ｍ／８、Ｍ／１６、Ｍ／３２である場合、１つの値はＭにマッピングされ、２つの値はＭ／２にマッピングされ、４つの値はＭ／４にマッピングされるなどであり、計６４個のエントリーが異なる対の帯域幅クラス及びサブバンドインデックスにマッピングされる。一方、図１９に示すサブバンドが非重畳方式（non-overlapped manner）で構成される場合、サブバンドインデックスの数が増加する重畳されたサブバンド構造も考慮されることができる。
【０２４８】
オーバーレイ構造を用いると、ＣＳＳ／ＧＳＳの検索空間候補は、Ｍ／８帯域幅の場合はＰ／８個の候補が各ブロック／サブバンドにマッピングされ、Ｍ／４帯域幅の場合はＰ／４個の候補がそれぞれのブロック／サブバンドにマッピングされるなどで構成されることができる。より大きい帯域幅をサポートするＵＥはより多くの候補を有し、ＵＥは追加構成可能な候補の全部又はサブセットをモニターする。ＣＳＳ及びＧＳＳの場合、検索空間の目的別の構成も考慮することができる。ＣＳＳは、最小ＵＥ ＲＦ帯域幅周波数領域内において構成され、ＧＳＳは、ロードバランシングのために各ＵＥ ＲＦ帯域幅別に個別に構成されることができる。
【０２４９】
１３．ＵＥの観点のＣＡを介した複数のＲＦの取り扱い
【０２５０】
１つのＲＦによりサポートされる最大帯域幅より広い帯域幅をサポートするために、２つのアプローチが考慮される。１つのアプローチは、１つ以上のＲＦにより実現できる１つの広帯域搬送波をサポートすることであり、他のアプローチは、複数の狭帯域搬送波をサポートすることであり、それぞれの搬送波は、複数のＲＦにより実現されることができる。後者のアプローチについては、より詳細な内容が前述されている（１０．複数のＲＦを有する単一のデータサブバンドマッピング）。ここでは、ＵＥが複数の搬送波で構成されることができ、それぞれの搬送波が１つのＲＦに対応する前者のアプローチに集中する。ＵＥ搬送波ベースアプローチは、少なくともＵＥが各ＲＦ要素において異なるヌメロロジーで動作できる場合により効率的であり得る。
【０２５１】
搬送波の観点から、以下のように定義することができる。
【０２５２】
−１つのＴＢを複数の搬送波を介して受信するように構成されることはできるが、ＵＥは、１つのＴＢが１つの搬送波内にマッピングされることを期待することができる。複数の搬送波が構成されると、ＵＥは、複数のＲＦを介して複数のＴＢを受信することを期待することができる。
【０２５３】
−それぞれの搬送波において別途のＨＡＲＱプロセスが行われることがある。ソフトバッファは、複数のＲＦにわたって複数のＨＡＲＱプロセスに分割されることがある。
【０２５４】
−少なくとも１つの制御リソースセットが搬送波毎に期待されることができ、ＵＥは、他の搬送波をスケジュールするために１つの制御リソースセットからクロス搬送波スケジューリングで構成されることができる。各制御リソースセット毎にクロス搬送波スケジューリングが構成されることができる。言い換えると、ＵＥがクロス搬送波スケジューリングで構成されても、制御リソースセットによって、クロス搬送波スケジューリング及び自己搬送波スケジューリングが共存することができ、クロス搬送波スケジューリングが制御リソースセットのサブセットによりサポートされることができる。また、検索空間候補は、クロス搬送波スケジューリングのための制御リソースセット内に制限されることができる。
【０２５５】
− ＣＳＩフィードバック（及び他のフィードバック）が各搬送波毎に報告されることができる。特に、広帯域ＣＱＩ実行のときに独立的な広帯域ＣＱＩが搬送波内で行われることができる。複数の狭帯域をサポートする複数のＲＦがある場合、多重広帯域ＣＱＩが送信されることができる。
【０２５６】
−ＵＥの観点から、少なくともデータ送信のために搬送波別に単一ヌメロロジーが仮定されることができる。同期信号などの他の信号と制御には、他のヌメロロジーを用いることができる。
【０２５７】
前述した説明をサポートするために、以下のようなアプローチが考慮される。
【０２５８】
−ネットワークは複数の搬送波を構成することができ、それぞれの搬送波帯域幅はＵＥ最大ＲＦ帯域幅以下であり得る。オーバーヘッドを最小化するために、１つ以上の搬送波（連続的イントラ帯域搬送波）は、同期信号、ＰＢＣＨ及びＲＲＭ測定ＲＳ、ＳＩＢなどを省略することができる。スタンドアロン（stand-alone）セルとして関連をサポートするために、同期信号／ＰＢＣＨ／ＳＩＢが周期的に送信されないことがあるが、ＵＥ追跡及びシステム情報アップデートを補助するために同期信号／ＰＢＣＨ／ＳＩＢ（全部又は部分）を送信することが可能であり得る。ＰＢＣＨ及び／又はＳＩＢ送信のために、ＵＥは、モニタリング周波数帯域に関係なく同期信号／ＰＢＣＨが送信されるアンカーサブバンドに再調整されることができる。同期信号／ＰＢＣＨを取得する間に、ＵＥは受信データを省略するか、ＵＥがアンカーサブバンドにある間に、アンカーサブバンドで制御／データを受信／送信することができる。また、サービングセルの同期信号及び／又はＰＢＣＨを読み取るための測定ギャップとして構成されることもできる。代わりに、ＵＥがアンカーサブバンドを含む周波数帯域をモニターする場合、ＵＥは、アンカーサブバンドにおいてシステム情報を取得することができる。そうでない場合、ＵＥは、システムアップデート指示に基づいてシステム情報のアップデートを要求することができる。要求を受信すると、ネットワークは、周期的又は非周期的又はＵＥ特定又はグループ特定ＰＢＣＨ及び／又はＳＩＢを送信することができる。このようなアプローチは、ＵＥがＰＢＣＨ／ＳＩＢ取得のために再調整するように要求しない。代わりに、ネットワークは、ＳＩＢアップデートのとき、各サブバンドにおいてＰＢＣＨ／ＳＩＢを送信して、全てのＵＥは、周波数位置又は別途の動作を変更することなく、ＰＢＣＨ／ＳＩＢを取得することができる。
【０２５９】
−ＵＥは、現在ＬＴＥ ＣＡと類似するように１つ又は複数の搬送波でアグリゲーションされることができる。
【０２６０】
−ＵＥ帯域幅に応じて、同一の帯域幅又はＰＲＢのセット内において、一部のＵＥは、単一ＲＦ／単一搬送波によりサポートされることができるのに対して、一部のＵＥは、多重ＲＦ／多重搬送波によりサポートされることができる。この場合、ＵＥの観点から単一又は多重搬送波が各ＵＥに構成されることができる。複数のＲＦを有するＵＥに対して、単一ＲＦを有する複数のＵＥがネットワーク観点からサポートされるかのように処理される。
【０２６１】
１４．広帯域におけるＲＲＭ処理（RRM handling in wideband）
【０２６２】
ＵＥがＵＥ特定帯域幅で構成されるとき、ＲＲＭ測定の処理は、以下のオプションの１つ以上に従うことができる。
【０２６３】
（１）オプション１
【０２６４】
図２０は、本発明の一実施形態による広帯域においてＲＲＭを処理するためのオプション１の例を示す。オプション１によれば、測定帯域幅はＵＥ特定帯域幅に従い、測定帯域幅はＵＥ特定帯域幅より小さいか同一である。測定帯域幅がＵＥ特定帯域幅より大きく構成される場合、ＵＥは、構成された帯域幅の外部でモニタリング又は測定を要求する必要がない。オプション１の場合、以下の事項が考慮される。
【０２６５】
−現在構成されているＵＥ特定帯域幅の外部の広帯域ＲＲＭ又はＲＲＭをサポートするための１つであるオプションは、複数のＲＲＭ構成を構成するか、ＵＥ特定帯域幅別にＲＲＭ構成を分離することである。
【０２６６】
−それぞれのＲＲＭ構成に対して、ＲＲＭ測定の周期及び帯域幅が構成されることができる。周期構成によって、ＵＥは、そのＵＥ特定帯域幅をスイッチングすることができる。周波数再調整が発生する度に、必要な周波数再調整ギャップが追加されることがある。
【０２６７】
−このオプションの欠点の１つは、構成されているＵＥ特定帯域幅の外部で測定のために第２ＲＦを用いることである。異なる帯域幅を測定するために、第２ＲＦに対するＵＥ特定帯域幅を分離する必要があり得る。代わりに、これは、ＲＦ内でのみ適用されることができる。ＵＥが追加ＲＦを指示するか、ＵＥが追加ＲＦを備えている場合、異なる周波数／ＲＲＭ帯域幅でのＲＦ測定が可能であり得る。これをサポートするために、ネットワークは、ＳＳブロックが送信される及び／又はＲＲＭ−ＲＳが送信される周波数リストを構成することができる。代わりに、ＵＥが追加的なＲＦを備えていることをネットワークが知っている場合、ＲＲＭ測定のための周波数、帯域幅のリストがＵＥに構成されることができる。
【０２６８】
−このオプションを用いると、制御及びデータも受信される同一の周波数範囲で測定が行われることができる。ＵＥが該当周波数をスイッチングする度に、該当制御リソースセット構成及びリソース割り当ても変更されることができる。
【０２６９】
−Ｌ３フィルタの場合、ＵＥ特定別に個別のＲＲＭフィルタが用いられ、異なるＲＲＭ結果が（まるで複数の搬送波であるかのように）維持されることができる。任意のハンドオーバー手順をトリガするか、又はネットワークに通知するかを決定するために、複数の構成にわたって平均値又は最良値又は最悪値が選択されることができる。この場合、隣接セルとサービングセル間の選択された値がイベント／報告を決定するのに用いられる。代わりに、サービングセルと隣接セル間の結果を比較すると、同一構成からの値が用いられることができる。イベントをトリガするためには、少なくとも１つの構成がイベントをトリガするか、全ての構成がイベントをトリガする。例えば、１つの構成のみが隣接セルの品質がサービングセルの品質よりはるかに優れていることを示す場合、第１のアプローチによって、ＵＥはそのイベントを報告することができる。しかしながら、第２のアプローチによると、ＵＥはそのイベントを報告しないこともある。
【０２７０】
（２）オプション２
【０２７１】
図２１は、本発明の一実施形態による広帯域においてＲＲＭを取り扱うためのオプション２の例を示す。オプション２によれば、測定帯域幅リスト、周波数はＵＥ特定帯域幅と独立的に構成されることができる。ＵＥがそのような測定のための測定ギャップを必要とするか否かは、ネットワークが必要な測定ギャップを構成できるようにネットワークに通知されることができる。ＲＲＭ測定が再調整を必要としない場合、測定ギャップは省略されることができる。ＢＷＰ構成によって、該当ギャップ中に一部の制御／データを受信／送信しないことにより、ＵＥにより必要なギャップが生成されることができる。
【０２７２】
（３）オプション３
【０２７３】
図２２は、本発明の一実施形態による広帯域においてＲＲＭを取り扱うためのオプション３の例を示す。オプション３によれば、ＣＳＩ−ＲＳなどの測定ＲＳの構成は、ＵＥ特定帯域幅より大きく構成されることができる。測定は、帯域幅適応に基づいてＵＥ特定帯域幅内で行われる。しかしながら、測定帯域幅は、ＵＥ ＲＦ帯域幅を超過することができない。第２ＲＦを用いる付加的な測定はまた、ＳＳブロックのリスト又はＲＲＭ周波数、帯域幅のリストに基づいて行われることができる。ＲＲＭ測定の観点で、Ｌ３フィルタが異なる帯域幅間に共有されることができる。言い換えると、ＲＲＭ結果は、測定の実際帯域幅に関係なく平均化することができる。代わりに、帯域幅が変更される度にＲＲＭ測定結果を再設定するように上位層に通知されることができる。このオプションを用いると、ＢＷＰ変更に関係なく同一の周波数位置での測定値が累積されることができる。
【０２７４】
（４）オプション４：ＲＲＭ測定は、実際帯域幅適応に関係なく変更できない最小のＵＥ特定帯域幅に対して発生されることができる。
【０２７５】
隣接セルに対するＲＲＭ測定は、サービングセルと同一であり得る。または、隣接セルに対するＲＲＭ測定は、サービングセルから分離されていることがある。
【０２７６】
一方、ＵＥが自分の帯域幅を変更するとき、ＲＲＭ帯域幅に対して以下の２つのアプローチが考慮される。
【０２７７】
（１）ＢＷＰからの独立的な構成：ＵＥ ＲＦ帯域幅より小さいか同一の測定帯域幅が構成されることができる。このアプローチが用いられる場合、ＵＥが測定を行う必要があり、その帯域幅が現在構成されているＢＷＰより大きくなる度に、ＵＥは、自分のＲＦ帯域幅を変更することができる。測定が構成されると、測定ＲＳの周期及び帯域幅が構成されることができる。
【０２７８】
（２）ＢＷＰに従属的な構成：ＲＲＭ測定は、与えられた時間にＵＥ構成周波数範囲（ＢＷＰ）内で行われることができる。ＵＥ構成周波数範囲が変更される度に（測定帯域幅又は位置が変更された場合）Ｌ３フィルタのＲＲＭ測定が再設定されることができる。
【０２７９】
図２３は、本発明の一実施形態による異なるＲＲＭ帯域幅オプションの例を示す。図２３−（ａ）は、ＢＷＰからの独立的な構成を示し、図２３−（ｂ）は、ＢＷＰの従属構成を示す。一方、ＲＲＭ要求事項を含む追加考慮事項は、２つのカテゴリーオプションの１つを選択するとみなされることができる。
【０２８０】
ＵＥが複数のＲＦを備えている場合、追加ＵＥ特定搬送波を構成する前に、ＵＥは、ＮＲ搬送波帯域幅内で現在活性の帯域幅外部の周波数範囲においてＲＲＭ測定を行う必要がある。ＮＲ搬送波で異なる周波数範囲に対するＲＲＭ測定の可能な利点は、異なる干渉レベルにより、ＵＥが複数の候補のうちより良好な周波数範囲を探索できるということである。このために、ＵＥは、自分の活性帯域幅外部の測定構成で構成されることができる。一般に、これは、単一ＲＦを有する狭帯域ＵＥに対してもサポートされることができ、これは、測定間隔構成又は帯域幅適応により行われることができる。
【０２８１】
１５．広帯域でのＣＳＩの取り扱い（CSI handling in wideband）
【０２８２】
ＣＳＩフィードバックにおいて、少なくとも広帯域及びサブバンドＣＳＩフィードバックが考慮される。広帯域ＣＳＩに対する周波数帯域幅及び位置側面でＲＲＭ処理と類似のオプションが考慮される。
【０２８３】
（１）オプション１：別個の周波数及び帯域幅情報は、広帯域ＣＳＩフィードバックのためにＵＥ特定帯域幅別に構成されることができる。広帯域ＣＳＩの観点で、同一のＵＥ特定帯域幅又は同一の構成に基づいたＣＳＩ測定にわたる平均を仮定することができる。
【０２８４】
（２）オプション２：測定を行うために多少のギャップを必要とする広帯域ＣＳＩ帯域幅が構成されることができる。
【０２８５】
（３）オプション３：広帯域ＣＳＩが常にＵＥ特定帯域幅内で測定されることができる。広帯域ＣＳＩ結果は、ＵＥが自分の帯域幅を変更する度にリセット（reset）される。また、広帯域ＣＳＩ結果は、実際帯域幅に関係なく平均化することができる。
【０２８６】
サブバンドＣＳＩに対して、以下の２つのアプローチが考慮される。１つのアプローチは、全体としてＵＥ特定帯域幅に従い、次に、ＵＥ特定帯域幅に基づいてサブバンドを分割することである。他の方法は、全体としてシステム帯域幅に従い、次に、システム帯域幅に基づいてサブバンドを分割することである。
【０２８７】
オプション１が用いられ、潜在的に異なる帯域幅及び周波数位置を含んで複数のＣＳＩ構成が可能である場合、非周期的ＣＳＩトリガリングはＣＳＩ構成の１つをトリガすることができる。非周期的ＣＳＩが現在のＵＥ特定帯域幅の外部でトリガされるとき、ＵＥは、ＣＳＩ測定前に自分の帯域幅を適応させることができる。オプション３が用いられるとき、ＣＳＩ測定は、ＵＥ特定帯域幅に従うことができる。
【０２８８】
ＲＲＭ測定帯域幅と類似するように、広帯域ＣＳＩフィードバックに対する一部の明確化が必要になることがある。ＣＳＩ測定の周期は、一般的にＲＲＭ測定より短いため、ＢＷＰと独立的な広帯域ＣＳＩフィードバックに対して別途の構成を構成することが効率的でない可能性がある。広帯域ＣＳＩは、主にデータスケジューリング用に用いられるので、広帯域ＣＳＩフィードバック帯域幅を構成されたＢＷＰと整列することが一般的に好ましい。言い換えると、広帯域ＣＳＩの帯域幅は、ＵＥ特定データに対するＵＥ ＢＷＰと同一に定義されることができる。ＵＥ ＢＷＰが変更されると、広帯域ＣＳＩ測定がリセットされることができる。サブバンドＣＳＩの場合、これは構成されたＢＷＰ内で定義されることができる。
【０２８９】
非周期的ＣＳＩ報告又はワンショット（one-shot）ＣＳＩ報告の場合、周波数選択性スケジューリングのためにより良好な周波数への可能な周波数再調整を許容するために、ＣＳＩ測定の周波数位置が指示されることができる。これが構成されると、必要な周波数再調整ギャップがサポートされなければならない。
【０２９０】
ＢＷＰが変更されるとき、ＣＳＩ測定のために、測定がサブバンド別に累積されると、これはサブバンド変化の「変化なし」又は「入れ子になった」構造を要求し、サブバンドに対する以前の測定が変更されたＢＷＰ内の他のサブバンドに用いられることができる。
【０２９１】
ＣＳＩに対する類似のアプローチが無線リンク管理（ＲＬＭ：radio link monitoring）測定にも適用できることに留意する。例えば、ＲＬＭ測定が構成されたデータサブバンド又は制御サブバンドで行われ、異なるデータ又は制御サブバンドにわたる平均が適用されることができる。
【０２９２】
図２４は、本発明の一実施形態によってＵＥによりデータサブバンドを構成する方法を示す。前述した本発明が本実施形態にも適用できる。
【０２９３】
ステップＳ１００で、ＵＥは、ネットワークからデータサブバンドの指示を受信する。ステップＳ１１０で、ＵＥは、前記指示に従って少なくとも１つのデータサブバンドを構成する。ステップＳ１２０で、ＵＥは、前記少なくとも１つのデータサブバンドを介してネットワークとの通信を行う。１つのデータサブバンドは、連続的又は非連続的ＰＲＢから構成される。
【０２９４】
データ送信に用いられるヌメロロジー、スロット長、ミニスロット長、ＲＡＴ、又は最大ＴＢＳの少なくとも１つがデータサブバンド別に定義されることができる。少なくとも１つのデータサブバンドがＵＥ特定搬送波で構成されることができる。ＵＥ特定搬送波は、ＲＦ別に構成されることができる。少なくとも１つのデータサブバンドが複数のＵＥ特定搬送波にわたって構成されることができる。データサブバンドは、共通データに対する共通データサブバンドを含むことができる。最大１つの共通データサブバンドが共通データのために構成されることができる。
【０２９５】
少なくとも１つのデータサブバンドは、制御サブバンドによってスケジュールされることができる。制御送信のために用いられたヌメロロジー、制御サブバンドのモニタリング間隔、又はＲＥＧ／ＣＣＥインデックスの少なくとも１つが制御サブバンド別に定義される。制御サブバンドは、アンカーサブバンドで構成されることができる。
【０２９６】
ＵＥサポート帯域幅内の複数のＰＲＢが少なくとも１つのデータサブバンドのリソース割り当てのために用いられることができる。または、データサブバンドに構成されている最大個数のＰＲＢが少なくとも１つのデータサブバンドのリソース割り当てに用いられることができる。
【０２９７】
ＵＥは、ネットワークが１つの広帯域搬送波を構成するとき、１つ以上のサブバンドに対するＲＲＭ測定をさらに行うことができる。この場合、それぞれのサブバンドは、ＳＳブロックを搬送することができる。または、アンカーサブバンドのみがＳＳブロックを搬送することができる。代わりに、ＵＥは、ネットワークが複数の狭帯域搬送波を構成するとき、１つ又は複数の搬送波に対してＲＲＭ測定を行うことができる。
【０２９８】
図２５は、本発明の一実施例を実施するための無線通信システムを示す。
【０２９９】
ネットワークノード８００は、プロセッサ８１０、メモリ８２０及び送受信部８３０を含む。プロセッサ８１０は、本明細書で説明された提案された機能、手順及び／または方法を実施するように構成されることができる。無線インターフェースプロトコルの階層がプロセッサ８１０で実施されることができる。メモリ８２０は、プロセッサ８１０と動作可能に結合され、プロセッサ８１０を動作させるための多様な情報を格納する。送受信部８３０は、プロセッサ８１０と動作可能に結合され、無線信号を送信及び／または受信する。
【０３００】
ＵＥ９００は、プロセッサ９１０、メモリ９２０及び送受信部９３０を含む。プロセッサ９１０は、本明細書で説明された提案された機能、手順及び／または方法を実施するように構成されることができる。無線インターフェースプロトコルの階層がプロセッサ９１０で実施されることができる。メモリ９２０は、プロセッサ９１０と動作可能に結合され、プロセッサ９１０を動作させるための多様な情報を格納する。送受信部９３０は、プロセッサ９１０と動作可能に結合され、無線信号を送信及び／または受信する。
【０３０１】
プロセッサ８１０、９１０は、ＡＳＩＣ（application-specific integrated circuit）、他のチップセット、論理回路及び／またはデータ処理装置を含むことができる。メモリ８２０、９２０は、ＲＯＭ（read-only memory）、ＲＡＭ（random access memory）、フラッシュメモリ、メモリカード、格納媒体及び／または他の格納装置を含むことができる。送受信部８３０、９３０は、無線周波数信号を処理するためのベースバンド回路を含むことができる。実施例がソフトウェアで実施される時、前述した技法は前述した機能を遂行するモジュール（過程、機能など）で実施されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０３０２】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序にまたは同時に発生できる。また、当業者であれば、流れ図に示すステップが排他的でなく、他のステップが含まれるか、流れ図の１つまたはそれ以上のステップが本発明の範囲に影響を及ぼさずに削除可能であることを理解することができる。
【図１】
2019536343.tif 000003
【図２】
2019536343.tif 000004
【図３】
2019536343.tif 000005
【図４】
2019536343.tif 000006
【図５】
2019536343.tif 000007
【図６】
2019536343.tif 000008
【図７】
2019536343.tif 000009
【図８】
2019536343.tif 000010
【図９】
2019536343.tif 000011
【図１０】
2019536343.tif 000012
【図１１】
2019536343.tif 000013
【図１２】
2019536343.tif 000014
【図１３】
2019536343.tif 000015
【図１４】
2019536343.tif 000016
【図１５】
2019536343.tif 000017
【図１６】
2019536343.tif 000018
【図１７】
2019536343.tif 000019
【図１８】
2019536343.tif 000020
【図１９】
2019536343.tif 000021
【図２０】
2019536343.tif 000022
【図２１】
2019536343.tif 000023
【図２２】
2019536343.tif 000024
【図２３】
2019536343.tif 000025
【図２４】
2019536343.tif 000026
【図２５】
2019536343.tif 000027
【手続補正書】
【提出日】令和1年6月7日(2019.6.7)
【手続補正１】
【補正対象書類名】特許請求の範囲
【補正対象項目名】全文
【補正方法】変更
【補正の内容】
【特許請求の範囲】
【請求項１】
無線通信システムにおいてＵＥ（user equipment）がデータサブバンドを構成する方法であって、
複数のデータサブバンドの構成をネットワークから受信し、
前記複数のデータサブバンドのうち第１データサブバンドに関する情報を含む第１スケジューリングＤＣＩ（downlink control information）を前記ネットワークから受信し、
前記第１データサブバンドを活性化し、
前記複数のデータサブバンドのうち第２データサブバンドに関する情報を含む第２スケジューリングＤＣＩを前記ネットワークから受信し、
前記第１データサブバンドから前記第２データサブバンドへの帯域幅調整を行い、
前記第２データサブバンドを活性化する、ことを含み、
１つのデータサブバンドは、連続的又は非連続的な物理リソースブロック（ＰＲＢ：physical resource block）から構成される、ことを特徴とする方法。
【請求項２】
データ送信のためのヌメロロジー（numerology）、スロット長、ミニスロット長、無線アクセス技術（ＲＡＴ：radio access technology）又は最大送信ブロックサイズ（ＴＢＳ：transport block size）のうち少なくとも１つが前記複数のデータサブバンドの中のデータサブバンド別に定義されることを特徴とする、請求項１に記載の方法。
【請求項３】
前記第１データサブバンド及び前記第２データサブバンドのうち少なくとも１つは、ＵＥ特定搬送波内に構成されることを特徴とする、請求項１に記載の方法。
【請求項４】
前記ＵＥ特定搬送波は、ＲＦ（radio frequency）別に構成されることを特徴とする、請求項３に記載の方法。
【請求項５】
前記第１データサブバンド及び前記第２データサブバンドのうち少なくとも１つは、複数のＵＥ特定搬送波にわたって構成されることを特徴とする、請求項１に記載の方法。
【請求項６】
前記第１データサブバンド及び前記第２データサブバンドのうち少なくとも１つは、共通データのための共通データサブバンドを含むことを特徴とする、請求項１に記載の方法。
【請求項７】
前記共通データのために最大１つの共通データサブバンドが構成されることを特徴とする、請求項６に記載の方法。
【請求項８】
前記第１データサブバンド及び前記第２データサブバンドのうち少なくとも１つは、制御サブバンドによりスケジュールされることを特徴とする、請求項１に記載の方法。
【請求項９】
制御送信のためのヌメロロジー、モニタリング区間、又は、前記制御サブバンド内でのＲＥＧ（resource element group）若しくはＣＣＥ（control channel element）インデックスの少なくとも１つが制御サブバンド別に定義されることを特徴とする、請求項８に記載の方法。
【請求項１０】
前記制御サブバンドは、アンカーサブバンド内に構成されることを特徴とする、請求項８に記載の方法。
【請求項１１】
前記第１データサブバンド及び前記第２データサブバンドのうち少なくとも１つにおいてチャネル状態情報（ＣＳＩ：channel state information）測定を行うことをさらに含む、請求項１に記載の方法。
【請求項１２】
前記第１データサブバンド及び前記第２データサブバンドのうち少なくとも１つにおいてＳＲＳ（sounding reference signal）を送信することをさらに含む、請求項１に記載の方法。
【請求項１３】
前記第１データサブバンド及び前記第２データサブバンドと独立して構成された周波数上で測定を行うことをさらに含む、請求項１に記載の方法。
【請求項１４】
前記周波数は、ＳＳ（synchronization signal）ブロックを搬送することを特徴とする、請求項１３に記載の方法。
【請求項１５】
無線通信システムにおける端末（ＵＥ：user equipment）であって、
メモリと、
送受信部と、
前記メモリ及び前記送受信部に接続されるプロセッサと、を含み、
前記プロセッサは、
複数のデータサブバンドの構成をネットワークから受信するように前記送受信部を制御し、
前記複数のデータサブバンドのうち第１データサブバンドに関する情報を含む第１スケジューリングＤＣＩ（downlink control information）を前記ネットワークから受信するように前記送受信部を制御し、
前記第１データサブバンドを活性化し、
前記複数のデータサブバンドのうち第２データサブバンドに関する情報を含む第２スケジューリングＤＣＩを前記ネットワークから受信するように前記送受信部を制御し、
前記第１データサブバンドから前記第２データサブバンドへの帯域幅調整を行い、
前記第２データサブバンドを活性化し、
１つのデータサブバンドは、連続的又は非連続的な物理リソースブロック（ＰＲＢ：physical resource block）から構成される、ことを特徴とするＵＥ。
【国際調査報告】
2019536343.tif 000028
2019536343.tif 000029